(57)【要約】【課題】ユーザ装置がそのユーザ装置宛の所望信号を精度よく復調することが容易な、非直交マルチアクセスを実行する基地局を提供する。【解決手段】基地局が時間的に連続的に送信するＯＦＤＭシンボルのいくつかには、複数のユーザ装置を宛先とする互いに直交しない複数のデータ信号が混合されている。参照信号が複数のＯＦＤＭシンボルに時間的に間欠的に配置されている。基地局は、ユーザ装置の受信品質に応じて下りリンクのデータ信号の送信に使用される下りリンクデータ信号送信電力を決定する。基地局は、参照信号が配置されるＯＦＤＭシンボルでの下りリンクデータ信号送信電力を、参照信号が配置されないＯＦＤＭシンボルでのデータ信号の下りリンクデータ信号送信電力よりも低減する。基地局は、下りリンク参照信号送信電力を、参照信号が配置されないＯＦＤＭシンボルでのデータ信号の下りリンクデータ信号送信電力よりも高く決定する。【選択図】図５
2015198351.tif 000002
【特許請求の範囲】
【請求項１】
複数のユーザ装置と通信する基地局であって、
その基地局に接続された複数のユーザ装置の受信品質に応じて、これらのユーザ装置に対する下りリンクのデータ信号の送信に使用される異なる下りリンクデータ信号送信電力を決定する下りリンクデータ信号送信電力決定部と、
その基地局に接続された複数のユーザ装置に受信される下りリンクの参照信号の送信に使用される下りリンク参照信号送信電力を決定する下りリンク参照信号送信電力決定部と、
複数のＯＦＤＭ（orthogonal frequency division multiplexing）シンボルを時間的に連続的に送信する無線信号送信部とを備え、
前記複数のＯＦＤＭシンボルのいくつかには、その基地局に接続された複数のユーザ装置をそれぞれ宛先とする互いに直交しない複数のデータ信号が混合されており、前記参照信号は、前記複数のＯＦＤＭシンボルに時間的に間欠的に配置されており、
前記下りリンクデータ信号送信電力決定部は、前記参照信号が配置されるＯＦＤＭシンボルでの各ユーザ装置に対するデータ信号の下りリンクデータ信号送信電力を、前記参照信号が配置されないＯＦＤＭシンボルでのそのユーザ装置に対するデータ信号の下りリンクデータ信号送信電力よりも低減し、
前記下りリンク参照信号送信電力決定部は、前記下りリンク参照信号送信電力を、前記参照信号が配置されないＯＦＤＭシンボルでのデータ信号の下りリンクデータ信号送信電力よりも高く決定する
ことを特徴とする基地局。
【請求項２】
前記複数のユーザ装置に、少なくとも、前記参照信号が配置されるＯＦＤＭシンボルでの各ユーザ装置に対するデータ信号の下りリンクデータ信号送信電力を各ユーザ装置が計算することができるようにする情報を通知する情報通知部をさらに備える
ことを特徴とする請求項１に記載の基地局。
【請求項３】
前記参照信号は、前記複数のユーザ装置に共通する参照信号であって、
前記情報は、少なくとも
前記複数のユーザ装置に対する複数の下りリンクデータ信号送信電力の比を示す情報要素と、
前記参照信号が配置されるＯＦＤＭシンボルでの前記複数のユーザ装置に対するデータ信号の複数の下りリンクデータ信号送信電力の合計と前記下りリンク参照信号送信電力との比を示す情報要素とを有する
ことを特徴とする請求項２に記載の基地局。
【請求項４】
前記参照信号は、前記複数のユーザ装置に共通する参照信号であって、
前記情報は、少なくとも
前記複数のユーザ装置に対する複数の下りリンクデータ信号送信電力の比を示す情報要素と、
前記参照信号が配置されないＯＦＤＭシンボルでの前記複数のユーザ装置に対するデータ信号の複数の下りリンクデータ信号送信電力の合計と前記下りリンク参照信号送信電力との比を示す情報要素と、
前記参照信号が配置されないＯＦＤＭシンボルでの前記複数のユーザ装置に対するデータ信号の複数の下りリンクデータ信号送信電力の合計と、前記参照信号が配置されるＯＦＤＭシンボルでの前記複数のユーザ装置に対するデータ信号の複数の下りリンクデータ信号送信電力の合計との比を示す情報要素とを有する
ことを特徴とする請求項２に記載の基地局。
【請求項５】
前記参照信号は、異なるユーザ装置に使用される複数の個別参照信号を有し、
前記下りリンク参照信号送信電力決定部は、前記複数の個別参照信号の各々の下りリンク参照信号送信電力を、前記参照信号が配置されないＯＦＤＭシンボルでの、その個別参照信号に対応するユーザ装置へのデータ信号の下りリンクデータ信号送信電力よりも高く決定し、
前記情報は、少なくとも
下りリンク参照信号送信電力と、前記個別参照信号が配置されるＯＦＤＭシンボルでのデータ信号の下りリンクデータ信号送信電力との比を示す情報要素を有する
ことを特徴とする請求項２に記載の基地局。
【請求項６】
前記参照信号は、異なるユーザ装置に使用される複数の個別参照信号を有し、
前記下りリンク参照信号送信電力決定部は、前記複数の個別参照信号の各々の下りリンク参照信号送信電力を、前記参照信号が配置されないＯＦＤＭシンボルでの、その個別参照信号に対応するユーザ装置へのデータ信号の下りリンクデータ信号送信電力よりも高く決定し、
前記情報は、少なくとも
下りリンク参照信号送信電力と、前記個別参照信号が配置されないＯＦＤＭシンボルでのデータ信号の下りリンクデータ信号送信電力との比を示す情報要素と、
前記個別参照信号が配置されるＯＦＤＭシンボルでのデータ信号の下りリンクデータ信号送信電力と、前記個別参照信号が配置されないＯＦＤＭシンボルでのデータ信号の下りリンクデータ信号送信電力との比を示す情報要素とを有する
ことを特徴とする請求項２に記載の基地局。
【請求項７】
前記情報通知部は、前記参照信号が配置されないＯＦＤＭシンボルでの各ユーザ装置に対するデータ信号の下りリンクデータ信号送信電力を各ユーザ装置が計算することができるようにする情報を前記複数のユーザ装置に通知する
ことを特徴とする請求項２から請求項６のいずれか１項に記載の基地局。
【請求項８】
前記基地局で使用しうる前記比が離散的な値のセットとして前記基地局に記憶されており、
前記比を示す情報要素は、前記基地局で現在使用されている比に対応するインデックス番号を示すことを特徴とする請求項３から請求項６のいずれか１項に記載の基地局。
【請求項９】
前記基地局で使用しうる前記比が離散的な値のセットとして前記基地局に記憶されており、
前記比を示す情報要素は、前記基地局で直前に使用した比に対する、前記基地局で現在使用されている比の相違を示すことを特徴とする請求項３から請求項６のいずれか1項に記載の基地局。
【請求項１０】
前記下りリンクデータ信号送信電力決定部は、前記参照信号が配置されるＯＦＤＭシンボルでの複数のユーザ装置に対するデータ信号の複数の下りリンクデータ信号送信電力の比を、前記参照信号が配置されないＯＦＤＭシンボルでの複数のユーザ装置に対するデータ信号の複数の下りリンクデータ信号送信電力の比とは異ならせる
ことを特徴とする請求項１から請求項９のいずれか１項に記載の基地局。
【発明の詳細な説明】
【技術分野】
【０００１】
本発明は、無線通信システムの基地局に関する。
【背景技術】
【０００２】
移動通信ネットワークにおいて、基地局とユーザ装置（例えば移動局）の間の通信には、複数の信号が互いに干渉しない直交マルチアクセス（orthogonal multiple access）が広く用いられている。直交マルチアクセスでは、異なるユーザ装置に異なる無線リソースが割り当てられる。直交マルチアクセスの例としては、ＣＤＭＡ（符号分割多元接続）、ＴＤＭＡ（時間分割多元接続）、ＯＦＤＭＡ（直交周波数分割多元接続）がある。例えば、3GPPにおいて標準化されたLong Term Evolution（LTE）では、下りリンクの通信にＯＦＤＭＡが使用されている。ＯＦＤＭＡにおいては異なるユーザ装置に異なる周波数が割り当てられる。
【０００３】
近年、基地局とユーザ装置の間の通信方式として、非直交マルチアクセス（NOMA、non-orthogonal multiple access）が提案されている（例えば、特許文献１参照）。非直交マルチアクセスにおいては、異なるユーザ装置に同一の無線リソースが割り当てられる。より具体的には、同時に単一の周波数が異なるユーザ装置に割り当てられる。下りリンク通信に非直交マルチアクセスを適用する場合、パスロス（path loss）が大きい、すなわち受信SINR（signal-to interference plus noise power ratio）が小さいユーザ装置（一般にセルエリア端にあるユーザ装置）に対して基地局は大送信電力で信号を送信し、パスロスが小さい、すなわち受信SINRが大きいユーザ装置（一般にセルエリア中央にあるユーザ装置）に対して基地局は小送信電力で信号を送信する。したがって、各ユーザ装置にとっての受信信号は、他のユーザ装置宛の信号により干渉されている。
【０００４】
この場合、各ユーザ装置は、電力差を利用してそのユーザ装置宛の信号を復調する。具体的には、各ユーザ装置は最も高い受信電力の信号をまず復調する。その復調された信号は最もセルエリア端にある、あるいは最も受信SINRの低いユーザ装置宛の信号であるから、最もセルエリア端にある、あるいは最も受信SINRの低いユーザ装置は復調を終了する。他の各ユーザ装置は、受信信号からその復調された信号に相当する干渉成分を干渉キャンセラにより除去し、２番目に高い受信電力の信号を復調する。その復調された信号は２番目にセルエリア端にある、あるいは2番目に受信SINRの低いユーザ装置宛の信号であるから、２番目にセルエリア端にある、あるいは2番目に受信SINRの低いユーザ装置は復調を終了する。このように高い電力の信号の復調と除去を繰り返すことにより、すべてのユーザ装置はそのユーザ装置宛の信号を復調することができる。
【０００５】
非直交マルチアクセスを直交マルチアクセスに組み合わせることにより、直交マルチアクセス単独の使用に比べて移動通信ネットワークのキャパシティを増大させることができる。つまり、直交マルチアクセス単独の使用では、ある無線リソース（例えば周波数）を同時に複数のユーザ装置に割り当てることはできないが、非直交マルチアクセスと直交マルチアクセスの組合せでは、ある無線リソースを同時に複数のユーザ装置に割り当てることができる。
【先行技術文献】
【特許文献】
【０００６】
【特許文献１】特開2013-009291号公報
【発明の概要】
【発明が解決しようとする課題】
【０００７】
上記のように非直交マルチアクセスにおいては、複数のユーザ装置の受信SINRに基づいて基地局はこれらのユーザ装置についての送信電力を適切に決定し、セルエリアの内側に位置するユーザ装置は干渉キャンセラを用いて高い受信電力の信号を復調して復調された信号を除去する。したがって、ユーザ装置は高い精度でチャネル推定を行うことが必要である。精度が低いチャネル推定結果に基づいて、基地局が下りリンクの送信電力を決定すると、パスロスがより小さいユーザ装置により大電力で信号を送信するなどの不適切な結果を招く。また、ユーザ装置の信号の復調精度が低い場合には、高い受信電力の干渉信号の復調精度が低く、所望信号の復調精度も低いため、ユーザ装置がそのユーザ装置宛の所望信号を精度よく復調することが困難である。
【０００８】
そこで、本発明は、ユーザ装置がそのユーザ装置宛の所望信号を精度よく復調することが容易な、非直交マルチアクセスを実行する基地局を提供する。
【課題を解決するための手段】
【０００９】
本発明に係る基地局は、複数のユーザ装置と通信する基地局であって、その基地局に接続された複数のユーザ装置の受信品質に応じて、これらのユーザ装置に対する下りリンクのデータ信号の送信に使用される異なる下りリンクデータ信号送信電力を決定する下りリンクデータ信号送信電力決定部と、その基地局に接続された複数のユーザ装置に受信される下りリンクの参照信号の送信に使用する下りリンク参照信号送信電力を決定する下りリンク参照信号送信電力決定部と、複数のＯＦＤＭ（orthogonal frequency division multiplexing）シンボルを時間的に連続的に送信する無線信号送信部とを備え、前記複数のＯＦＤＭシンボルのいくつかには、その基地局に接続された複数のユーザ装置をそれぞれ宛先とする互いに直交しない複数のデータ信号が混合されており、前記参照信号は、前記複数のＯＦＤＭシンボルに時間的に間欠的に配置されており、前記下りリンクデータ信号送信電力決定部は、前記参照信号が配置されるＯＦＤＭシンボルでの各ユーザ装置に対するデータ信号の下りリンクデータ信号送信電力を、前記参照信号が配置されないＯＦＤＭシンボルでのそのユーザ装置に対するデータ信号の下りリンクデータ信号送信電力よりも低減し、前記下りリンク参照信号送信電力決定部は、前記下りリンク参照信号送信電力を、前記参照信号が配置されないＯＦＤＭシンボルでのデータ信号の下りリンクデータ信号送信電力よりも高く決定する。
【発明の効果】
【００１０】
本発明においては、参照信号が配置されるＯＦＤＭシンボルでの各ユーザ装置に対するデータ信号の下りリンクデータ信号送信電力を、参照信号が配置されないＯＦＤＭシンボルでのそのユーザ装置に対するデータ信号の下りリンクデータ信号送信電力よりも低減することにより、下りリンク参照信号送信電力を、参照信号が配置されないＯＦＤＭシンボルでのデータ信号の下りリンクデータ信号送信電力よりも高く設定することが可能である。下りリンク参照信号送信電力を高く設定することにより、ユーザ装置は参照信号を高い精度で受信することが可能である。その参照信号がユーザ装置によるチャネル状態の推定に使用されるのであれば（例えば、その参照信号が3GPPのLTE AdvancedすなわちRelease 10でのチャネル状態情報参照信号（CSI-RS）であれば）、ユーザ装置は高い精度でチャネル推定を行うことが可能である。精度が高いチャネル推定結果に基づいて、基地局が下りリンクの送信電力を決定することにより、パスロスがより小さいユーザ装置により小電力で信号を送信し、パスロスがより大きいユーザ装置により大電力で信号を送信することができる。すなわち非直交マルチアクセスの動作を適切に行うことができる。また、仮にユーザ装置がチャネル推定結果に基づいて所望信号と干渉信号を復調する場合には、高い精度のチャネル推定結果により、ユーザ装置は適切な復調処理ができる。その参照信号がユーザ装置によるデータ信号の復調に使用されるのであれば（例えば、その参照信号が3GPPのLTE AdvancedすなわちRelease 10での復調用参照信号（DM-RS）であれば）、ユーザ装置の干渉キャンセラは、高い受信電力の信号（他のユーザ装置を宛先とする）を適切に復調することができるので適切な干渉キャンセル処理ができ、またユーザ装置は所望信号を適切に復調することができる。したがって、ユーザ装置がそのユーザ装置宛の所望信号を精度よく復調することが可能である。
【図面の簡単な説明】
【００１１】
【図１】非直交マルチアクセスの概略を説明するための基地局とユーザ装置を示す概略図である。
【図２】非直交マルチアクセスにおける各ユーザ装置への基地局での下りリンク送信電力の割り当ての例を示す図である。
【図３】本発明の第１の実施の形態に係る基地局の構成を示すブロック図である。
【図４】下りリンク送信の１つのリソースブロックにおける各種信号のマッピングの例を示す図である。
【図５】本発明の第１の実施の形態に係る非直交マルチアクセスでの信号の送信方式を示す図である。
【図６】本発明の第１の実施の形態に係るユーザ装置の構成を示すブロック図である。
【図７】本発明の第４の実施の形態に係る非直交マルチアクセスでの信号の送信方式を示す図である。
【図８】本発明の第５の実施の形態に係る非直交マルチアクセスでの信号の送信方式を示す図である。
【図９】本発明の第８の実施の形態に係る非直交マルチアクセスでの信号の送信方式を示す図である。
【発明を実施するための形態】
【００１２】
以下、添付の図面を参照しながら本発明に係る様々な実施の形態を説明する。
まず、非直交マルチアクセス（ＮＯＭＡ）の概略を説明する。
図１に示すように、基地局１０は複数のユーザ装置（user equipment、UE）１００〜１０２と通信する。図１において符号１ａは基地局１０のセルエリアを示す。UE１０２は、セルエリア端すなわち最もセルエリア１ａの境界に近い位置にあり、基地局１０から最も遠く、パスロスが最も大きい（すなわち受信ＳＩＮＲが最も小さい）。UE１００は、セルエリア１ａの中央付近にあり、基地局１０から最も近く、パスロスが最も小さい（すなわち受信ＳＩＮＲが最も大きい）。UE１０１は、UE１０２よりも基地局１０に近く、UE１００よりも基地局１０から遠い。
【００１３】
図２は、ＮＯＭＡにおける各UEへの基地局での下りリンクデータ信号送信電力の割り当ての例を示す図である。基地局１０は、UE１００〜１０２に対して同時に同じ周波数を使用して下りリンクデータ信号送信を行う。つまり、これらのUE１００〜１０２には、同じ周波数と同じ時間が割り当てられる。基地局１０は、最も遠隔にあるUE１０２への送信に最も高い下りリンクデータ信号送信電力を使用し、最も近傍にあるUE１００への送信に最も低い下りリンクデータ信号送信電力を使用する。
【００１４】
但し、基地局１０に接続されるUEは、UE１００〜１０２に限られない。ＮＯＭＡは、直交マルチアクセスに組み合わせることが可能であり、UE１００〜１０２以外のUEにはUE１００〜１０２に割り当てられた周波数と異なる周波数が割り当てられてもよい。また、同時に同じ周波数が割り当てられるUEの数（ＮＯＭＡで多重されるUEの数）は３に限らず、２でもよいし４以上でもよい。
【００１５】
各UE１００〜１０２の立場から見れば、最も高い受信電力の信号がUE１０２宛の信号であり、最も低い受信電力の信号がUE１００宛の信号である。各UE１００〜１０２は最も高い受信電力の信号をまず復調する。その復調された信号は最もセルエリア１ａの境界に近い位置にあるUE１０２宛の信号であるから、UE１０２は復調を終了し、その復調された信号を使用する。他の各UE１００，１０１は、受信信号からその復調された信号に相当する干渉成分を干渉キャンセラにより除去し、２番目に高い受信電力の信号を復調する。その復調された信号は２番目にセルエリア１ａの境界に近い位置にあるUE１０１宛の信号であるから、UE１０１は復調を終了し、その復調された信号を使用する。このように高い受信電力の信号の復調と除去を必要に応じて繰り返すことにより、すべてのUE１００〜１０２はそのUE宛の信号を復調することができる。このように、ＮＯＭＡでは、UEはそのUEを宛先とする信号を復調するまで、所望基地局１０から送信された他のUEを宛先とする信号をキャンセルする。UE１００〜１０２は干渉キャンセルの機能を有する。このような干渉キャンセルの機能を有しないUEには、ＮＯＭＡは適用されない。
【００１６】
次に、ＮＯＭＡにおける基地局での各UEへの下りリンクデータ信号送信電力の決定手法の例を説明する。基地局は、例えば以下の式（１）を用いて、各UEに関する下りリンクデータ信号送信電力Ｐｋを決定する。
【数１】
2015198351.tif 000003
【００１７】
式（１）において、Ｐは同時に同じ周波数を使用するすべてのUEへの下りリンクデータ信号送信電力の合計（総下りリンクデータ信号送信電力）である。各パラメータの添字ｋは、下りリンクデータ信号送信電力Ｐｋが決定されるUEを識別し、各パラメータの添字ｉは式（１）中のサンメンションのためUEを識別する。Ｋは同時に同じ周波数を使用するすべてのUEの数（ＮＯＭＡで多重されるUEの数）である。ｈはUEについての下りリンクのチャネル係数を示し、Ｎは各UEでの熱雑音電力および他の基地局からの干渉電力の合計を示す。
【００１８】
【数２】
2015198351.tif 000004
は、UEｉでのＳＩＮＲに相当し、基地局はそのＳＩＮＲをUEｉから報告されるＣＱＩ（チャネル品質インジケータ）によって知ることができる。式（１）において、αは、下りリンクデータ信号送信電力の配分を決定する係数であり、０より大きく１以下である。仮にαが０であれば、同時に同じ周波数を使用するすべてのUEへの下りリンクデータ信号送信電力は均等である。αは０より大きく１以下なので、ＳＩＮＲが大きい（受信品質が良好な）UEに、小さい下りリンクデータ信号送信電力が割り当てられる。そして、αが１に近いほど、各ＵＥでの受信ＳＩＮＲの差に対する、各ＵＥへの送信電力の相違は大きくなる。
【００１９】
第１の実施の形態
図３は本発明の第１の実施の形態に係る基地局１０の構成を示すブロック図である。基地局１０は、制御部３０、無線信号送信部３２、複数の送信アンテナ３３、無線信号受信部３４、少なくとも１つの受信アンテナ３５および基地局間通信部３６を備える。基地局１０は、LTEにおけるeNode B（evolved Node B）でもよいし、他の無線アクセス技術（例えば、Wi-Fi）のアクセスポイントでもよい。
【００２０】
無線信号送信部３２は、基地局１０が各UEへ無線送信を行うため電気信号を送信アンテナ３３から送信する電波に変換するための送信回路である。送信アンテナ３３はアダプティブアンテナアレイを構成する。下りリンク通信の方式としてはＯＦＤＭＡが使用される。したがって、無線信号送信部３２は、ＯＦＤＭシンボルを時間的に連続的に送信する。下りリンク通信の方式としてはＮＯＭＡも使用される。したがって、いくつかのＯＦＤＭシンボルには、その基地局に接続された複数のUEをそれぞれ宛先とする互いに直交しない複数のデータ信号が混合されている。また、無線信号送信部３２は、下りリンクの信号の電力を制御する増幅器を有する。
【００２１】
無線信号受信部３４は、基地局１０が各UEから無線受信を行うため受信アンテナ３５から受信した電波を電気信号に変換するための受信回路である。上りリンク通信の方式としては例えばＳＣ−ＦＤＭＡ（Single-Carrier Frequency Division Multiple Access）が使用されるが、これには限定されない。
【００２２】
基地局間通信部３６は、基地局１０が他の基地局と通信を行うための通信インターフェイスである。基地局間の通信には、有線または無線が使用される。
【００２３】
制御部３０は、ＣＱＩ報告処理部３８、情報通知部４０、下りリンクデータ信号送信電力決定部４２および下りリンク参照信号送信電力決定部４４を備える。制御部３０は、コンピュータプログラムに従って動作するＣＰＵ（central processing unit）である。ＣＱＩ報告処理部３８、情報通知部４０、下りリンクデータ信号送信電力決定部４２および下りリンク参照信号送信電力決定部４４は、制御部３０がそのコンピュータプログラムに従って機能することによって実現される機能ブロックである。
【００２４】
制御部３０は、基地局１０に接続された各UEから送信され無線信号受信部３４で受信された上りリンクのデータ信号を処理する。
【００２５】
ＣＱＩ報告処理部３８は、基地局１０に接続された複数のUEから報告され無線信号受信部３４で受信された複数のＣＱＩに基づいて、これらのUEでのＳＩＮＲを認識する。下りリンクデータ信号送信電力決定部４２は、各UEでのＳＩＮＲに基づいて、ＮＯＭＡのために、基地局１０に接続された各UEに対する下りリンクのデータ信号の送信に使用される下りリンクデータ信号送信電力を決定する。ＮＯＭＡにおける下りリンクデータ信号送信電力の決定の手法は、式（１）を参照し上述した通りである。但し、式（１）は例であり、決定の手法はこれに限定されない。例えば、ＣＱＩ報告処理部３８は、複数のＣＱＩから直接（ＳＩＮＲを認識せずに）下りリンクデータ信号送信電力を決定してもよい。下りリンクデータ信号送信電力決定部４２は、UEと基地局の距離が大きい程（より正確には、受信ＳＩＮＲが小さい程、すなわち受信品質が悪い程）、高い下りリンクデータ信号送信電力を割り当てる。
【００２６】
制御部３０は、基地局１０に接続された複数のUEをそれぞれ宛先とする下りリンクのデータ信号を無線信号送信部３２に供給する。無線信号送信部３２は、これらのUEをそれぞれ宛先とする互いに直交しない複数の下りリンクのデータ信号が混合されたＯＦＤＭシンボルを有する無線信号を、送信アンテナ３３により送信する。このとき、無線信号送信部３２は、各データ信号を下りリンクデータ信号送信電力決定部４２で決定された下りリンクデータ信号送信電力で送信する。したがって、同時に同じ周波数が下りリンクデータ信号送信で使用される複数のUEに対して、異なる下りリンクデータ信号送信電力でデータ信号が送信される。
【００２７】
制御部３０は、基地局１０に接続された複数のUEに受信される下りリンクの参照信号を無線信号送信部３２に供給する。無線信号送信部３２は、下りリンクの参照信号を時間的に間欠的に送信する。後述するように、参照信号は、時間的に連続するＯＦＤＭシンボルに時間的に間欠的に配置される。下りリンク参照信号送信電力決定部４４は、下りリンクの参照信号の送信に使用され下りリンク参照信号送信電力を決定する。無線信号送信部３２は、下りリンク参照信号送信電力決定部４４で決定された下りリンク参照信号送信電力で参照信号を送信する。
【００２８】
情報通知部４０は、基地局１０に接続された複数のUEの各々に各種の情報を送信する。その情報は、各UEがＮＯＭＡで多重された複数のUEに対するデータ信号の下りリンクデータ信号送信電力を計算することができるようにするいくつかの情報要素を含む。これらの情報要素は、ＮＯＭＡで多重されるUEの数Ｋを示す情報要素と、他の情報要素を含む。また、情報通知部４０は、チャネル推定用の参照信号の送信電力を示す情報要素を基地局１０に接続された複数のUEの各々に送信する。チャネル推定用の参照信号の送信電力を示す情報要素は、下りリンクデータ信号送信電力を計算することができるようにする情報要素に含まれてもよい。また、ＮＯＭＡが適用される場合に、情報通知部４０は、各UEに各UEへの下りリンクデータ信号送信電力の順位を示す情報要素を送信する（例えば、受信SINRが最も低いUEには下りリンクデータ信号送信電力が最も高いことを示す情報要素を送信する）。以下、下りリンクデータ信号送信電力の順位は、ＮＯＭＡでのUEの順位と呼ぶ。ＮＯＭＡでのUEの順位を示す情報要素は、下りリンクデータ信号送信電力を計算することができるようにする情報要素に含まれてもよい。
【００２９】
図４は、LTE Advancedでの下りリンク送信の１つのリソースブロックにおける各種信号のマッピングの例を示す。符号ＲＢは１つのリソースブロックを示し、各升目は、最小リソース単位である１つのサブキャリア、１つのOFDMシンボルからなるリソースエレメントを示す。縦軸は周波数(サブキャリア）を示し、横軸は時間（ＯＦＤＭシンボル）を示す。
【００３０】
3GPPにおいては、参照信号（reference signal、ＲＳ）は、セル固有参照信号（cell-specific RS（CRS））、チャネル状態情報参照信号（channel state information RS（CSI-RS））、復調用参照信号（demodulation RS（DM-RS））に分類される。復調用参照信号は、端末固有参照信号（UE-specific RS）とも呼ばれる。
【００３１】
3GPPのLTEすなわちRelease 8では、セル固有参照信号（CRS）の使用が義務づけられている。セル固有参照信号は、基地局（セル）の最大で４つの送信アンテナをサポートする。セル固有参照信号は、チャネル状態情報の決定（チャネル状態の推定）、データの復調、セルからの信号の受信品質（ＲＳＲＰ、参照信号受信電力）の測定、および制御チャネル（物理個別制御チャネル、PDCCH）の復調に使用される。
【００３２】
3GPPのLTE AdvancedすなわちRelease 10以降のLTEでは、チャネル状態情報参照信号（CSI-RS）および復調用参照信号（DM-RS）の使用が可能となる。チャネル状態情報参照信号は、基地局（セル）の最大で８つの送信アンテナをサポートする。チャネル状態情報参照信号は、チャネル状態情報の決定（チャネル状態の推定）のみに使用されるであろう。このため、セル固有参照信号に比べて、チャネル状態情報参照信号は低密度（長間隔）で送信される。
【００３３】
復調用参照信号は、基地局（セル）から送信されうる最大で８つの送信ストリームをサポートする。復調用参照信号は、移動通信端末（ユーザ装置、UE）固有のデータ信号を復調するために使用されるであろう。復調用参照信号には、データ信号と同様のプリコーディングが施されており、このために移動通信端末は、プリコーディング情報なしで、復調用参照信号によってデータ信号を復調することができる。
【００３４】
LTE Advancedでは、例えば、セルからの信号の受信品質（ＲＳＲＰ）の測定、および制御チャネルの復調のために、セル固有参照信号も使用される可能性がある。
【００３５】
図４に示すように、下りリンクデータ信号は、多くのＯＦＤＭシンボルで送信される。他方、各参照信号は複数のＯＦＤＭシンボルに時間的に間欠的に配置されている。図４の例では、ＣＲＳは番号０，４，７，１１のＯＦＤＭシンボルに配置され、ＤＭ−ＲＳは番号５，６，１２，１３のＯＦＤＭシンボルに配置される。番号５，６は連続しており、番号１２，１３は連続しているが、連続した組は離れているので、ＤＭ−ＲＳは間欠的に配置されている。ＣＳＩ−ＲＳは、番号９，１０のＯＦＤＭシンボルに配置されており、番号９，１０は連続しているが、複数のリソースブロックにおいて連続した組は離れているので、ＣＳＩ−ＲＳは間欠的に配置されている。
【００３６】
図５は本発明の第１の実施の形態に係る非直交マルチアクセスでの信号の送信方式を示す図である。ここでは、UE１がセルエリア中央すなわち基地局１０の近傍にあり、UE１宛のデータ信号は低い送信電力で基地局１０から送信され、UE２がセルエリア端すなわち基地局１０から遠隔にあり、UE２宛のデータ信号は高い送信電力で基地局１０から送信されると想定する。
【００３７】
参照信号が配置されないＯＦＤＭシンボルでは、上述したように複数のUEから報告されたＣＱＩに基づいて、例えば式（１）に従って、下りリンクデータ信号送信電力決定部４２は、UE１宛のデータ信号の送信電力をＰ11に決定し、UE２宛のデータ信号の送信電力をＰ21に決定する。合計のデータ信号送信電力はＰtotal1である。
【００３８】
他方、共通参照信号が配置されるＯＦＤＭシンボルでは、下りリンクデータ信号送信電力決定部４２は、各UEに対するデータ信号の下りリンクデータ信号送信電力を、共通参照信号が配置されないＯＦＤＭシンボルでのそのUEに対するデータ信号の下りリンクデータ信号送信電力よりも低減する。共通参照信号が配置されるＯＦＤＭシンボルでは、下りリンクデータ信号送信電力決定部４２は、UE１宛のデータ信号の送信電力をＰ12に決定し、UE２宛のデータ信号の送信電力をＰ22に決定する。合計のデータ信号送信電力はＰtotal2である。例えば、下りリンクデータ信号送信電力決定部４２は、共通参照信号が配置されないＯＦＤＭシンボルでの下りリンクデータ信号送信電力Ｐ11，Ｐ21に係数Ｘ（１未満の正の数）をそれぞれ乗算することにより、共通参照信号が配置されないＯＦＤＭシンボルでの下りリンクデータ信号送信電力Ｐ12，Ｐ22を得ることができる。したがって、Ｐ11／Ｐ21＝Ｐ12／Ｐ22である。換言すれば、共通参照信号が配置されないＯＦＤＭシンボルと共通参照信号が配置されるＯＦＤＭシンボルとで、UE２宛のデータ信号の送信電力に対するUE１宛のデータ信号の送信電力の比は変化しない。係数Ｘは、同時に同じ周波数を使用するUEの数Ｋに依存する。
【００３９】
図５において共通参照信号は、例えばCRSまたはCSI-RSである。下りリンク参照信号送信電力決定部４４は、共通参照信号の送信電力ＰRSを、共通参照信号が配置されないＯＦＤＭシンボルでのデータ信号の合計の下りリンクデータ信号送信電力Ｐtotal1よりも高く決定する。下りリンク参照信号送信電力を高く設定することにより、各UEは共通参照信号を高い精度で受信することが可能である。
【００４０】
参照信号が配置されるＯＦＤＭシンボルで下りリンクデータ信号送信電力を低減する理由は、無線信号送信部３２で使用できる送信電力には限度があるため、参照信号が配置されないＯＦＤＭシンボルでの下りリンクデータ信号送信電力と同じ送信電力を維持したまま、高い送信電力ＰRSで参照信号を送信することができないためである。換言すれば、参照信号が配置されるＯＦＤＭシンボルでの各UEに対するデータ信号の下りリンクデータ信号送信電力を、参照信号が配置されないＯＦＤＭシンボルでのそのUEに対するデータ信号の下りリンクデータ信号送信電力よりも低減することにより、下りリンク参照信号送信電力を、参照信号が配置されないＯＦＤＭシンボルでのデータ信号の下りリンクデータ信号送信電力よりも高く設定することが可能である。同時に同じ周波数を使用するUEの数Ｋに基づいて、下りリンク参照信号送信電力決定部４４は共通参照信号の送信電力ＰRSを決定してもよい。あるいは、下りリンクデータ信号送信電力決定部４２で決定された下りリンクデータ信号送信電力Ｐ12およびＰ22、または合計のデータ信号送信電力Ｐtotal2に基づいて、下りリンク参照信号送信電力決定部４４は共通参照信号の送信電力ＰRSを計算してもよい。
【００４１】
CRSまたはCSI-RSはUEによるチャネル状態の推定に使用されるので、UEは高い精度でチャネル推定を行うことが可能である。精度が高いチャネル推定結果に基づいて、基地局１０が下りリンクのデータ信号送信電力を決定することにより、パスロスがより小さいUEにより小電力で信号を送信し、パスロスがより大きいUEにより大電力で信号を送信することができる。すなわちＮＯＭＡの動作を適切に行うことができる。また、仮にUEがチャネル推定結果に基づいて所望信号と干渉信号を復調する場合には、高い精度のチャネル推定結果により、UEは適切な復調処理ができる。したがって、UEがそのUE宛の所望信号を精度よく復調することが可能である。
【００４２】
図６は本発明の第１の実施の形態に係るUEの構成を示すブロック図である。上述した干渉キャンセルの機能を有するUE（UE１００等）はこの構成を有する。UEは、制御部５０、無線信号送信部５２、少なくとも１つの送信アンテナ５３、無線信号受信部５４および複数の受信アンテナ５５を備える。
【００４３】
無線信号送信部５２は、UEが所望基地局へ無線送信を行うため電気信号を送信アンテナ５３から送信する電波に変換するための送信回路である。無線信号受信部５４は、UEが所望基地局から無線受信を行うため受信アンテナ５５から受信した電波を電気信号に変換するための受信回路である。受信アンテナ５５はアダプティブアンテナアレイを構成する。
【００４４】
制御部５０は、受信品質測定部６０、ＣＱＩ報告部６１、電力認識部６２、チャネル推定部６４および信号処理復調部６６を備える。制御部５０は、コンピュータプログラムに従って動作するＣＰＵである。受信品質測定部６０、ＣＱＩ報告部６１、電力認識部６２、チャネル推定部６４および信号処理復調部６６は、制御部５０がそのコンピュータプログラムに従って機能することによって実現される機能ブロックである。
【００４５】
制御部５０は、上りリンクのデータ信号および上りリンクの参照信号（例えばサウンディング参照信号）を無線信号送信部５２に供給し、無線信号送信部５２は、これらの信号を送信アンテナ５３により所望基地局に送信する。受信品質測定部６０は、無線信号受信部５４で受信された無線信号のＳＩＮＲを測定する。ＣＱＩ報告部６１はＳＩＮＲに基づいてＣＱＩを生成し、ＣＱＩを無線信号送信部５２に供給する。無線信号送信部５２は、ＣＱＩを制御チャネルで所望基地局に送信する。
【００４６】
無線信号受信部５４は、所望基地局から送信された互いに直交しない複数の下りリンクデータ信号および下りリンク参照信号が含まれた無線信号を受信し、無線信号から得られる受信信号を制御部５０に供給する。また、無線信号受信部５４は、チャネル推定用の参照信号の送信電力を示す情報要素、ＮＯＭＡでのUEの順位を示す情報要素、およびUEがＮＯＭＡで多重された複数のUEへの下りリンクデータ信号送信電力を計算することができるようにする情報要素が示された無線信号を受信し、無線信号から得られる受信信号を制御部５０に供給する。
【００４７】
電力認識部６２は、チャネル推定用の参照信号の送信電力を示す情報要素からチャネル推定用の参照信号の送信電力を認識する。また、UEが下りリンクデータ信号送信電力を計算することができるようにする情報要素から、電力認識部６２はＮＯＭＡで多重された複数のUEへの下りリンクデータ信号送信電力を認識する。チャネル推定部６４は、電力認識部６２で認識されたチャネル推定用の参照信号の送信電力に基づいて、下りリンク参照信号を用いてチャネル推定を行う。
【００４８】
信号処理復調部６６は、電力認識部６２で認識されたＮＯＭＡで多重された複数のUEへの下りリンクデータ信号送信電力およびチャネル推定部６４で得られたチャネル推定結果に基づいて、そのUE宛のデータ信号を復調する。具体的な処理の手順は下記の通りである。
【００４９】
信号処理復調部６６は、チャネル推定結果および下りリンクデータ信号送信電力に基づいて、無線信号受信部５４から供給される受信信号のうち最も高い受信電力のデータ信号をまず復調する。その復調されたデータ信号は最もセルエリアの境界に近い位置にあるUE宛のデータ信号（基地局１０から最も高い下りリンクデータ信号送信電力で送信されたデータ信号）である。ＮＯＭＡでのUEの順位に基づいて、信号処理復調部６６がこのデータ信号がこのUE宛のデータ信号であると判断すると、信号処理復調部６６はこのデータ信号を出力し復調を終了し、このUEではそのデータ信号を使用する。他のUE宛の信号を復調してキャンセルする必要はない。
【００５０】
信号処理復調部６６がこのデータ信号がこのUE宛のデータ信号ではないと判断すると、信号処理復調部６６は干渉キャンセラとして機能し、無線信号受信部５４から供給される受信信号からその復調された信号に相当する干渉成分を除去し、２番目に高い受信電力のデータ信号を復調する。その復調されたデータ信号は２番目にセルエリアの境界に近い位置にあるUE宛のデータ信号（基地局１０から２番目に高い下りリンクデータ信号送信電力で送信されたデータ信号）である。ＮＯＭＡでのUEの順位に基づいて、信号処理復調部６６がこのデータ信号がこのUE宛のデータ信号であると判断すると、信号処理復調部６６はこのデータ信号を出力し復調を終了し、このUEではそのデータ信号を使用する。このように高い受信電力の信号の復調と除去を必要に応じて繰り返すことにより、信号処理復調部６６はこのUE宛てのデータ信号を復調することができる。
【００５１】
次に、基地局１０の情報通知部４０から基地局１０に接続された各UEに送信される下りリンクデータ信号送信電力を計算することができるようにする情報要素を具体的に説明する。これらの情報要素は、下記を含む。
・ＮＯＭＡで多重されるUEの数（同時に同じ周波数を使用するUEの数）Ｋを示す情報要素。
・共通参照信号の送信電力ＰRSを示す情報要素。
・複数のUEに対する複数の下りリンクデータ信号送信電力の比を示す情報要素。
例えば、Ｋが２である場合、比Ｐdiff＝Ｐ11／Ｐ21＝Ｐ12／Ｐ22である（図５参照）。但し、比Ｐdiffは、その逆数でもよいし、dBで表されてもよい。
・参照信号が配置されないＯＦＤＭシンボルでの複数のUEに対するデータ信号の複数の下りリンクデータ信号送信電力の合計と共通参照信号の送信電力との比Ｐxを示す情報要素。
Ｐx＝ＰRS／Ｐtotal1である（図５参照）。但し、比Ｐxは、その逆数でもよいし、dBで表されてもよい。
・参照信号が配置されるＯＦＤＭシンボルでの複数のUEに対するデータ信号の複数の下りリンクデータ信号送信電力の合計と共通参照信号の送信電力との比Ｐyを示す情報要素。
Ｐy＝ＰRS／Ｐtotal2である（図５参照）。但し、比Ｐyは、その逆数でもよいし、dBで表されてもよい。
・ＮＯＭＡでのUEの順位を示す情報要素。
【００５２】
各UEの電力認識部６２は、ＰRSとＰxから、参照信号が配置されないＯＦＤＭシンボルでの下りリンクデータ信号送信電力の合計Ｐtotal1を計算し、ＰRSとＰyから、参照信号が配置されるＯＦＤＭシンボルでの下りリンクデータ信号送信電力の合計Ｐtotal2を計算する。
【００５３】
また、Ｋが２である場合、各UEの電力認識部６２は、ＰdiffとＰtotal1から、参照信号が配置されないＯＦＤＭシンボルでの下りリンクデータ信号送信電力Ｐ11とＰ21を計算し、ＰdiffとＰtotal2から、参照信号が配置されるＯＦＤＭシンボルでの下りリンクデータ信号送信電力Ｐ12とＰ22を計算する。
【００５４】
ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。これらの下りリンクデータ信号送信電力は、信号処理復調部６６において、多値変調（multi-level modulation）された信号（所望信号および干渉信号）のコンステレーションを考慮した復調に使用される。したがって、低い電力で所望データ信号を受信するUE１は、Ｐ11とＰ21の両方およびＰ12とＰ22の両方を用いて、所望データ信号を復調し、高い電力で所望データ信号を受信するUE２は、Ｐ21およびＰ22のみを用いて、所望データ信号を復調する。
【００５５】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【００５６】
この実施の形態では、基地局１０の情報通知部４０が、少なくとも共通参照信号が配置されるＯＦＤＭシンボルでの各UEに対するデータ信号の下りリンクデータ信号送信電力を各UEが計算することができるようにする情報を各UEに通知する。したがって、共通参照信号が配置されるＯＦＤＭシンボルで下りリンクデータ信号送信電力が低減される場合において、UEの電力認識部６２は、共通参照信号が配置されるＯＦＤＭシンボルでの各UEに対する下りリンクデータ信号送信電力を計算することができ、信号処理復調部６６はその計算結果を用いて、信号復調処理を行うことが可能である。また、各UEに下りリンクデータ信号送信電力の絶対値を示す情報を送信するのではなく、送信電力の比を示す情報要素を送信し、各UEがこれらに基づいて下りリンクデータ信号送信電力の絶対値を計算するので、基地局１０から各UEに送信される情報量を小さくすることができる。また、基地局１０での送信電力Ｐtotal1，Ｐtotal2，ＰRSは変化させられることがあるが、送信電力の比を示す情報要素を用いて各UEが下りリンクデータ信号送信電力の絶対値を計算するので、基地局１０での送信電力が変化させられるたびに下りリンクデータ信号送信電力の絶対値を基地局１０が各UEに送信する必要がない。
【００５７】
さらにこの実施の形態では、共通参照信号が配置されないＯＦＤＭシンボルでの各UEに対するデータ信号の下りリンクデータ信号送信電力を各UEが計算することができるようにする情報要素（すなわち、参照信号が配置されないＯＦＤＭシンボルでの複数のUEに対するデータ信号の複数の下りリンクデータ信号送信電力の合計と共通参照信号の送信電力との比Ｐxを示す情報要素）を各UEに通知する。したがって、基地局１０から各UEに送信される情報量を小さくすることができつつ、UEの電力認識部６２は、共通参照信号が配置されるＯＦＤＭシンボルでの各UEに対する下りリンクデータ信号送信電力を計算することができ、共通参照信号が配置されないＯＦＤＭシンボルでの各UEに対する下りリンクデータ信号送信電力も計算することができる。
【００５８】
第２の実施の形態
基地局１０の情報通知部４０から基地局１０に接続された各UEに送信される下りリンクデータ信号送信電力を計算することができるようにする情報要素を次のようにしてもよい。この場合、基地局１０およびUEの構成は第１の実施の形態のそれらと同じでよい。
【００５９】
これらの情報要素は、下記を含む。
・ＮＯＭＡで多重されるUEの数（同時に同じ周波数を使用するUEの数）Ｋを示す情報要素。
・共通参照信号の送信電力ＰRSを示す情報要素。
・複数のUEに対する複数の下りリンクデータ信号送信電力の比を示す情報要素。
例えば、Ｋが２である場合、比Ｐdiff＝Ｐ11／Ｐ21＝Ｐ12／Ｐ22である（図５参照）。但し、比Ｐdiffは、その逆数でもよいし、dBで表されてもよい。
・参照信号が配置されないＯＦＤＭシンボルでの複数のUEに対するデータ信号の複数の下りリンクデータ信号送信電力の合計と共通参照信号の送信電力との比Ｐxを示す情報要素。
Ｐx＝ＰRS／Ｐtotal1である（図５参照）。但し、比Ｐxは、その逆数でもよいし、dBで表されてもよい。
・参照信号が配置されないＯＦＤＭシンボルでの複数のUEに対するデータ信号の複数の下りリンクデータ信号送信電力の合計と、参照信号が配置されるＯＦＤＭシンボルでの複数のUEに対するデータ信号の複数の下りリンクデータ信号送信電力の合計との比Ｐzを示す情報要素。
Ｐz＝Ｐtotal1／Ｐtotal2（図５参照）。但し、比Ｐzは、その逆数でもよいし、dBで表されてもよい。
・ＮＯＭＡでのUEの順位を示す情報要素。
【００６０】
各UEの電力認識部６２は、ＰRSとＰxから、参照信号が配置されないＯＦＤＭシンボルでの下りリンクデータ信号送信電力の合計Ｐtotal1を計算し、Ｐtotal1とＰzから、参照信号が配置されるＯＦＤＭシンボルでの下りリンクデータ信号送信電力の合計Ｐtotal2を計算する。
【００６１】
また、Ｋが２である場合、各UEの電力認識部６２は、ＰdiffとＰtotal1から、参照信号が配置されないＯＦＤＭシンボルでの下りリンクデータ信号送信電力Ｐ11とＰ21を計算し、ＰdiffとＰtotal2から、参照信号が配置されるＯＦＤＭシンボルでの下りリンクデータ信号送信電力Ｐ12とＰ22を計算する。
【００６２】
ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。これらの下りリンクデータ信号送信電力は、信号処理復調部６６において、多値変調された信号（所望信号および干渉信号）のコンステレーションを考慮した復調に使用される。したがって、低い電力で所望データ信号を受信するUE１は、Ｐ11とＰ21の両方およびＰ12とＰ22の両方を用いて、所望データ信号を復調し、高い電力で所望データ信号を受信するUE２は、Ｐ21およびＰ22のみを用いて、所望データ信号を復調する。
【００６３】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【００６４】
この実施の形態では、基地局１０の情報通知部４０が、少なくとも共通参照信号が配置されるＯＦＤＭシンボルでの各UEに対するデータ信号の下りリンクデータ信号送信電力を各UEが計算することができるようにする情報を各UEに通知する。したがって、共通参照信号が配置されるＯＦＤＭシンボルで下りリンクデータ信号送信電力が低減される場合において、UEの電力認識部６２は、共通参照信号が配置されるＯＦＤＭシンボルでの各UEに対する下りリンクデータ信号送信電力を計算することができ、信号処理復調部６６はその計算結果を用いて、信号復調処理を行うことが可能である。また、各UEに下りリンクデータ信号送信電力の絶対値を示す情報を送信するのではなく、送信電力の比を示す情報要素を送信し、各UEがこれらに基づいて下りリンクデータ信号送信電力の絶対値を計算するので、基地局１０から各UEに送信される情報量を小さくすることができる。また、基地局１０での送信電力Ｐtotal1，Ｐtotal2，ＰRSは変化させられることがあるが、送信電力の比を示す情報要素を用いて各UEが下りリンクデータ信号送信電力の絶対値を計算するので、基地局１０での送信電力が変化させられるたびに下りリンクデータ信号送信電力の絶対値を基地局１０が各UEに送信する必要がない。
【００６５】
さらにこの実施の形態では、共通参照信号が配置されないＯＦＤＭシンボルでの各UEに対するデータ信号の下りリンクデータ信号送信電力を各UEが計算することができるようにする情報要素（すなわち、参照信号が配置されないＯＦＤＭシンボルでの複数のUEに対するデータ信号の複数の下りリンクデータ信号送信電力の合計と共通参照信号の送信電力との比Ｐxを示す情報要素）を各UEに通知する。したがって、基地局１０から各UEに送信される情報量を小さくすることができつつ、UEの電力認識部６２は、共通参照信号が配置されるＯＦＤＭシンボルでの各UEに対する下りリンクデータ信号送信電力を計算することができ、共通参照信号が配置されないＯＦＤＭシンボルでの各UEに対する下りリンクデータ信号送信電力も計算することができる。
【００６６】
第３の実施の形態
基地局１０の情報通知部４０から基地局１０に接続された各UEに送信される下りリンクデータ信号送信電力を計算することができるようにする情報要素を次のようにしてもよい。この場合、基地局１０およびUEの構成は第１の実施の形態のそれらと同じでよい。
【００６７】
これらの情報要素は、下記を含む。
・ＮＯＭＡで多重されるUEの数（同時に同じ周波数を使用するUEの数）Ｋを示す情報要素。
・共通参照信号の送信電力ＰRSを示す情報要素。
・複数のUEに対する複数の下りリンクデータ信号送信電力の比を示す情報要素。
例えば、Ｋが２である場合、比Ｐdiff＝Ｐ11／Ｐ21＝Ｐ12／Ｐ22である（図５参照）。但し、比Ｐdiffは、その逆数でもよいし、dBで表されてもよい。
・参照信号が配置されるＯＦＤＭシンボルでの複数のUEに対するデータ信号の複数の下りリンクデータ信号送信電力の合計と共通参照信号の送信電力との比Ｐyを示す情報要素。
Ｐy＝ＰRS／Ｐtotal2である（図５参照）。但し、比Ｐyは、その逆数でもよいし、dBで表されてもよい。
・参照信号が配置されないＯＦＤＭシンボルでの複数のUEに対するデータ信号の複数の下りリンクデータ信号送信電力の合計と、参照信号が配置されるＯＦＤＭシンボルでの複数のUEに対するデータ信号の複数の下りリンクデータ信号送信電力の合計との比Ｐzを示す情報要素。
Ｐz＝Ｐtotal1／Ｐtotal2（図５参照）。但し、比Ｐzは、その逆数でもよいし、dBで表されてもよい。
・ＮＯＭＡでのUEの順位を示す情報要素。
【００６８】
各UEの電力認識部６２は、ＰRSとＰyから、参照信号が配置されるＯＦＤＭシンボルでの下りリンクデータ信号送信電力の合計Ｐtotal2を計算し、Ｐtotal2とＰzから、参照信号が配置されないＯＦＤＭシンボルでの下りリンクデータ信号送信電力の合計Ｐtotal1を計算する。
【００６９】
また、Ｋが２である場合、各UEの電力認識部６２は、ＰdiffとＰtotal1から、参照信号が配置されないＯＦＤＭシンボルでの下りリンクデータ信号送信電力Ｐ11とＰ21を計算し、ＰdiffとＰtotal2から、参照信号が配置されるＯＦＤＭシンボルでの下りリンクデータ信号送信電力Ｐ12とＰ22を計算する。
【００７０】
ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。これらの下りリンクデータ信号送信電力は、信号処理復調部６６において、多値変調された信号（所望信号および干渉信号）のコンステレーションを考慮した復調に使用される。したがって、低い電力で所望データ信号を受信するUE１は、Ｐ11とＰ21の両方およびＰ12とＰ22の両方を用いて、所望データ信号を復調し、高い電力で所望データ信号を受信するUE２は、Ｐ21およびＰ22のみを用いて、所望データ信号を復調する。
【００７１】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【００７２】
この実施の形態では、基地局１０の情報通知部４０が、少なくとも共通参照信号が配置されるＯＦＤＭシンボルでの各UEに対するデータ信号の下りリンクデータ信号送信電力を各UEが計算することができるようにする情報を各UEに通知する。したがって、共通参照信号が配置されるＯＦＤＭシンボルで下りリンクデータ信号送信電力が低減される場合において、UEの電力認識部６２は、共通参照信号が配置されるＯＦＤＭシンボルでの各UEに対する下りリンクデータ信号送信電力を計算することができ、信号処理復調部６６はその計算結果を用いて、信号復調処理を行うことが可能である。また、各UEに下りリンクデータ信号送信電力の絶対値を示す情報を送信するのではなく、送信電力の比を示す情報要素を送信し、各UEがこれらに基づいて下りリンクデータ信号送信電力の絶対値を計算するので、基地局１０から各UEに送信される情報量を小さくすることができる。また、基地局１０での送信電力Ｐtotal1，Ｐtotal2，ＰRSは変化させられることがあるが、送信電力の比を示す情報要素を用いて各UEが下りリンクデータ信号送信電力の絶対値を計算するので、基地局１０での送信電力が変化させられるたびに下りリンクデータ信号送信電力の絶対値を基地局１０が各UEに送信する必要がない。
【００７３】
さらにこの実施の形態では、共通参照信号が配置されないＯＦＤＭシンボルでの各UEに対するデータ信号の下りリンクデータ信号送信電力を各UEが計算することができるようにする情報要素（すなわち、参照信号が配置されないＯＦＤＭシンボルでの複数のUEに対するデータ信号の複数の下りリンクデータ信号送信電力の合計と、参照信号が配置されるＯＦＤＭシンボルでの複数のUEに対するデータ信号の複数の下りリンクデータ信号送信電力の合計との比Ｐz）を各UEに通知する。したがって、基地局１０から各UEに送信される情報量を小さくすることができつつ、UEの電力認識部６２は、共通参照信号が配置されるＯＦＤＭシンボルでの各UEに対する下りリンクデータ信号送信電力を計算することができ、共通参照信号が配置されないＯＦＤＭシンボルでの各UEに対する下りリンクデータ信号送信電力も計算することができる。
【００７４】
第４の実施の形態
上記の第１〜第３の実施の形態では、共通参照信号が配置されないＯＦＤＭシンボルと共通参照信号が配置されるＯＦＤＭシンボルとで、あるUE宛のデータ信号の送信電力に対する他のUE宛のデータ信号の送信電力の比は変化しない。Ｐ11／Ｐ21＝Ｐ12／Ｐ22である。しかし、基地局１０の下りリンクデータ信号送信電力決定部４２は、共通参照信号が配置されるＯＦＤＭシンボルでの複数のユーザ装置に対するデータ信号の複数の下りリンクデータ信号送信電力の比を、共通参照信号が配置されないＯＦＤＭシンボルでの複数のユーザ装置に対するデータ信号の複数の下りリンクデータ信号送信電力の比とは異ならせてもよい。
【００７５】
図７は、本発明の第４の実施の形態に係る非直交マルチアクセスでの信号の送信方式を示す図である。ここでは、UE１がセルエリア中央すなわち基地局１０の近傍にあり、UE１宛のデータ信号は低い送信電力で基地局１０から送信され、UE２がセルエリア端すなわち基地局１０から遠隔にあり、UE２宛のデータ信号は高い送信電力で基地局１０から送信されると想定する。
【００７６】
参照信号が配置されないＯＦＤＭシンボルでは、上述したように複数のUEから報告されたＣＱＩに基づいて、例えば式（１）に従って、下りリンクデータ信号送信電力決定部４２は、UE１宛のデータ信号の送信電力をＰ11に決定し、UE２宛のデータ信号の送信電力をＰ21に決定する。合計のデータ信号送信電力はＰtotal1である。
【００７７】
他方、共通参照信号が配置されるＯＦＤＭシンボルでは、下りリンクデータ信号送信電力決定部４２は、各UEに対するデータ信号の下りリンクデータ信号送信電力を、共通参照信号が配置されないＯＦＤＭシンボルでのそのUEに対するデータ信号の下りリンクデータ信号送信電力よりも低減する。共通参照信号が配置されるＯＦＤＭシンボルでは、下りリンクデータ信号送信電力決定部４２は、UE１宛のデータ信号の送信電力をＰ12に決定し、UE２宛のデータ信号の送信電力をＰ22に決定する。合計のデータ信号送信電力はＰtotal2である。第１〜第３の実施の形態とは異なり、下りリンクデータ信号送信電力決定部４２は、低い送信電力が使用されるUE１についての低減量Ｐ11−Ｐ12を、高い送信電力が使用されるUE２についての低減量Ｐ21−Ｐ22よりも小さく設定する。したがって、Ｐ11／Ｐ21＜Ｐ12／Ｐ22である。これは、Ｐ11／Ｐ21＝Ｐ12／Ｐ22を維持したまま、共通参照信号が配置されるＯＦＤＭシンボルでのUE１宛のデータ信号の送信電力Ｐ12を決定すると、Ｐ12が小さくなり過ぎてUE１でデータ信号を復調できないおそれがあるためである。低い送信電力が使用されるUE１についての低減量Ｐ11−Ｐ12を、高い送信電力が使用されるUE２についての低減量Ｐ21−Ｐ22よりも小さく設定することによって、Ｐ12が小さくなり過ぎてUE１でデータ信号を復調できない事態を防止することができる。
【００７８】
但し、下りリンクデータ信号送信電力決定部４２は、高い送信電力が使用されるUE２についての低減量Ｐ21−Ｐ22を、低い送信電力が使用されるUE１についての低減量Ｐ11−Ｐ12よりも小さく設定してもよい。高い送信電力が使用されるUE２は基地局１０から遠隔にあるので、Ｐ22を顕著に低減すると、UE２でデータ信号を復調できないおそれがある。高い送信電力が使用されるUE２についての低減量Ｐ21−Ｐ22を、低い送信電力が使用されるUE１についての低減量Ｐ11−Ｐ12よりも小さく設定することによって、Ｐ22が小さくなり過ぎてUE２でデータ信号を復調できない事態を防止することができる。
【００７９】
いずれにせよ、第４の実施の形態は、第１、第２または第３の実施の形態の修正である。基地局１０およびUEの構成は第１の実施の形態のそれらと同じでよい。
【００８０】
次に、基地局１０の情報通知部４０から基地局１０に接続された各UEに送信される下りリンクデータ信号送信電力を計算することができるようにする情報要素を具体的に説明する。第１の実施の形態を修正する場合、これらの情報要素は、下記を含む。
・ＮＯＭＡで多重されるUEの数（同時に同じ周波数を使用するUEの数）Ｋを示す情報要素。
・共通参照信号の送信電力ＰRSを示す情報要素。
・参照信号が配置されないＯＦＤＭシンボルでの複数のUEに対する複数の下りリンクデータ信号送信電力の比を示す情報要素。
例えば、Ｋが２である場合、比Ｐdiff＝Ｐ11／Ｐ21である（図７参照）。但し、比Ｐdiffは、その逆数でもよいし、dBで表されてもよい。
・参照信号が配置されるＯＦＤＭシンボルでの複数のUEに対する複数の下りリンクデータ信号送信電力の比を示す情報要素。
例えば、Ｋが２である場合、比Ｐdiff2＝Ｐ12／Ｐ22である（図７参照）。但し、比Ｐdiff2は、その逆数でもよいし、dBで表されてもよい。
・参照信号が配置されないＯＦＤＭシンボルでの複数のUEに対するデータ信号の複数の下りリンクデータ信号送信電力の合計と共通参照信号の送信電力との比Ｐxを示す情報要素。
Ｐx＝ＰRS／Ｐtotal1である（図７参照）。但し、比Ｐxは、その逆数でもよいし、dBで表されてもよい。
・参照信号が配置されるＯＦＤＭシンボルでの複数のUEに対するデータ信号の複数の下りリンクデータ信号送信電力の合計と共通参照信号の送信電力との比Ｐyを示す情報要素。
Ｐy＝ＰRS／Ｐtotal2である（図７参照）。但し、比Ｐyは、その逆数でもよいし、dBで表されてもよい。
・ＮＯＭＡでのUEの順位を示す情報要素。
【００８１】
各UEの電力認識部６２は、ＰRSとＰxから、参照信号が配置されないＯＦＤＭシンボルでの下りリンクデータ信号送信電力の合計Ｐtotal1を計算し、ＰRSとＰyから、参照信号が配置されるＯＦＤＭシンボルでの下りリンクデータ信号送信電力の合計Ｐtotal2を計算する。
【００８２】
また、Ｋが２である場合、各UEの電力認識部６２は、ＰdiffとＰtotal1から、参照信号が配置されないＯＦＤＭシンボルでの下りリンクデータ信号送信電力Ｐ11とＰ21を計算し、Ｐdiff2とＰtotal2から、参照信号が配置されるＯＦＤＭシンボルでの下りリンクデータ信号送信電力Ｐ12とＰ22を計算する。ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。
【００８３】
第２の実施の形態を修正する場合、各UEに送信される下りリンクデータ信号送信電力を計算することができるようにする情報要素は下記を含む。
・ＮＯＭＡで多重されるUEの数（同時に同じ周波数を使用するUEの数）Ｋを示す情報要素。
・共通参照信号の送信電力ＰRSを示す情報要素。
・参照信号が配置されないＯＦＤＭシンボルでの複数のUEに対する複数の下りリンクデータ信号送信電力の比を示す情報要素。
例えば、Ｋが２である場合、比Ｐdiff＝Ｐ11／Ｐ21である（図７参照）。但し、比Ｐdiffは、その逆数でもよいし、dBで表されてもよい。
・参照信号が配置されるＯＦＤＭシンボルでの複数のUEに対する複数の下りリンクデータ信号送信電力の比を示す情報要素。
例えば、Ｋが２である場合、比Ｐdiff2＝Ｐ12／Ｐ22である（図７参照）。但し、比Ｐdiff2は、その逆数でもよいし、dBで表されてもよい。
・参照信号が配置されないＯＦＤＭシンボルでの複数のUEに対するデータ信号の複数の下りリンクデータ信号送信電力の合計と共通参照信号の送信電力との比Ｐxを示す情報要素。
Ｐx＝ＰRS／Ｐtotal1である（図７参照）。但し、比Ｐxは、その逆数でもよいし、dBで表されてもよい。
・参照信号が配置されないＯＦＤＭシンボルでの複数のUEに対するデータ信号の複数の下りリンクデータ信号送信電力の合計と、参照信号が配置されるＯＦＤＭシンボルでの複数のUEに対するデータ信号の複数の下りリンクデータ信号送信電力の合計との比Ｐzを示す情報要素。
Ｐz＝Ｐtotal1／Ｐtotal2（図７参照）。但し、比Ｐzは、その逆数でもよいし、dBで表されてもよい。
・ＮＯＭＡでのUEの順位を示す情報要素。
【００８４】
各UEの電力認識部６２は、ＰRSとＰxから、参照信号が配置されないＯＦＤＭシンボルでの下りリンクデータ信号送信電力の合計Ｐtotal1を計算し、Ｐtotal1とＰzから、参照信号が配置されるＯＦＤＭシンボルでの下りリンクデータ信号送信電力の合計Ｐtotal2を計算する。
【００８５】
また、Ｋが２である場合、各UEの電力認識部６２は、ＰdiffとＰtotal1から、参照信号が配置されないＯＦＤＭシンボルでの下りリンクデータ信号送信電力Ｐ11とＰ21を計算し、Ｐdiff2とＰtotal2から、参照信号が配置されるＯＦＤＭシンボルでの下りリンクデータ信号送信電力Ｐ12とＰ22を計算する。ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。
【００８６】
第３の実施の形態を修正する場合、各UEに送信される下りリンクデータ信号送信電力を計算することができるようにする情報要素は下記を含む。
・ＮＯＭＡで多重されるUEの数（同時に同じ周波数を使用するUEの数）Ｋを示す情報要素。
・共通参照信号の送信電力ＰRSを示す情報要素。
・参照信号が配置されないＯＦＤＭシンボルでの複数のUEに対する複数の下りリンクデータ信号送信電力の比を示す情報要素。
例えば、Ｋが２である場合、比Ｐdiff＝Ｐ11／Ｐ21である（図７参照）。但し、比Ｐdiffは、その逆数でもよいし、dBで表されてもよい。
・参照信号が配置されるＯＦＤＭシンボルでの複数のUEに対する複数の下りリンクデータ信号送信電力の比を示す情報要素。
例えば、Ｋが２である場合、比Ｐdiff2＝Ｐ12／Ｐ22である（図７参照）。但し、比Ｐdiff2は、その逆数でもよいし、dBで表されてもよい。
・参照信号が配置されるＯＦＤＭシンボルでの複数のUEに対するデータ信号の複数の下りリンクデータ信号送信電力の合計と共通参照信号の送信電力との比Ｐyを示す情報要素。
Ｐy＝ＰRS／Ｐtotal2である（図７参照）。但し、比Ｐyは、その逆数でもよいし、dBで表されてもよい。
・参照信号が配置されないＯＦＤＭシンボルでの複数のUEに対するデータ信号の複数の下りリンクデータ信号送信電力の合計と、参照信号が配置されるＯＦＤＭシンボルでの複数のUEに対するデータ信号の複数の下りリンクデータ信号送信電力の合計との比Ｐzを示す情報要素。
Ｐz＝Ｐtotal1／Ｐtotal2（図７参照）。但し、比Ｐzは、その逆数でもよいし、dBで表されてもよい。
・ＮＯＭＡでのUEの順位を示す情報要素。
【００８７】
各UEの電力認識部６２は、ＰRSとＰyから、参照信号が配置されるＯＦＤＭシンボルでの下りリンクデータ信号送信電力の合計Ｐtotal2を計算し、Ｐtotal2とＰzから、参照信号が配置されないＯＦＤＭシンボルでの下りリンクデータ信号送信電力の合計Ｐtotal1を計算する。
【００８８】
また、Ｋが２である場合、各UEの電力認識部６２は、Ｐdiff2とＰtotal1から、参照信号が配置されないＯＦＤＭシンボルでの下りリンクデータ信号送信電力Ｐ11とＰ21を計算し、ＰdiffとＰtotal2から、参照信号が配置されるＯＦＤＭシンボルでの下りリンクデータ信号送信電力Ｐ12とＰ22を計算する。ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。
【００８９】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【００９０】
第５の実施の形態
次に本発明の第５の実施の形態について説明する。第５の実施の形態において、基地局１０およびUEの構成は第１の実施の形態のそれらと同じでよい。
【００９１】
図８は本発明の第５の実施の形態に係る非直交マルチアクセスでの信号の送信方式を示す図である。ここでは、UE１がセルエリア中央すなわち基地局１０の近傍にあり、UE１宛のデータ信号は低い送信電力で基地局１０から送信され、UE２がセルエリア端すなわち基地局１０から遠隔にあり、UE２宛のデータ信号は高い送信電力で基地局１０から送信されると想定する。
【００９２】
参照信号が配置されないＯＦＤＭシンボルでは、上述したように複数のUEから報告されたＣＱＩに基づいて、例えば式（１）に従って、下りリンクデータ信号送信電力決定部４２は、UE１宛のデータ信号の送信電力をＰ11に決定し、UE２宛のデータ信号の送信電力をＰ21に決定する。
【００９３】
他方、個別参照信号が配置されるＯＦＤＭシンボルでは、下りリンクデータ信号送信電力決定部４２は、各UEに対するデータ信号の下りリンクデータ信号送信電力を、個別参照信号が配置されないＯＦＤＭシンボルでのそのUEに対するデータ信号の下りリンクデータ信号送信電力よりも低減する。具体的には、個別参照信号が配置されるＯＦＤＭシンボルでは、UE１に対するデータ信号の下りリンクデータ信号送信電力Ｐ12は、参照信号が配置されないＯＦＤＭシンボルでのUE１に対するデータ信号の下りリンクデータ信号送信電力Ｐ11よりも低減され、個別参照信号が配置されるＯＦＤＭシンボルでは、UE２に対するデータ信号の下りリンクデータ信号送信電力Ｐ22は、参照信号が配置されないＯＦＤＭシンボルでのUE２に対するデータ信号の下りリンクデータ信号送信電力Ｐ21よりも低減される。例えば、下りリンクデータ信号送信電力決定部４２は、個別参照信号が配置されないＯＦＤＭシンボルでの下りリンクデータ信号送信電力Ｐ11，Ｐ21に係数Ｙ（１未満の正の数）をそれぞれ乗算することにより、個別参照信号が配置されないＯＦＤＭシンボルでの下りリンクデータ信号送信電力Ｐ12，Ｐ22を得ることができる。したがって、Ｐ11／Ｐ21＝Ｐ12/Ｐ22である。換言すれば、UE２宛のデータ信号の送信電力に対するUE１宛のデータ信号の送信電力の比は変化しない。係数Ｙは、同時に同じ周波数を使用するUEの数Ｋに依存する。
【００９４】
図８において個別参照信号は、例えばDM-RSである。下りリンク参照信号送信電力決定部４４は、UE１宛の個別参照信号の送信電力ＰRS1を、個別参照信号が配置されないＯＦＤＭシンボルでのUE１宛のデータ信号の下りリンクデータ信号送信電力Ｐ11よりも高く決定し、UE２宛の個別参照信号の送信電力ＰRS2を、個別参照信号が配置されないＯＦＤＭシンボルでのUE２宛のデータ信号の下りリンクデータ信号送信電力Ｐ21よりも高く決定する。下りリンク参照信号送信電力を高く設定することにより、各UEは個別参照信号を高い精度で受信することが可能である。UE２宛の個別参照信号の送信電力ＰRS2に対するUE１宛の個別参照信号の送信電力ＰRS1の比は、UE２宛の下りリンクデータ信号送信電力に対するUE１宛の下りリンクデータ信号送信電力の比と同じである。すなわち、ＰRS1／ＰRS2＝Ｐ11／Ｐ21＝Ｐ12／Ｐ22である。
【００９５】
参照信号が配置されるＯＦＤＭシンボルで下りリンクデータ信号送信電力を低減する理由は、無線信号送信部３２で使用できる送信電力には限度があるため、参照信号で配置されないＯＦＤＭシンボルでの下りリンクデータ信号送信電力と同じ送信電力を維持したまま、高い送信電力ＰRS1、ＰRS2で参照信号を送信することができないためである。換言すれば、参照信号が配置されるＯＦＤＭシンボルでの各UEに対するデータ信号の下りリンクデータ信号送信電力を、参照信号が配置されないＯＦＤＭシンボルでのそのUEに対するデータ信号の下りリンクデータ信号送信電力よりも低減することにより、下りリンク参照信号送信電力を、参照信号が配置されないＯＦＤＭシンボルでのデータ信号の下りリンクデータ信号送信電力よりも高く設定することが可能である。同時に同じ周波数を使用するUEの数Ｋに基づいて、下りリンク参照信号送信電力決定部４４は個別参照信号の送信電力ＰRS1、ＰRS2を決定してもよい。あるいは、下りリンクデータ信号送信電力決定部４２で決定された下りリンクデータ信号送信電力Ｐ12およびＰ22、または合計のデータ信号送信電力Ｐtotal2に基づいて、下りリンク参照信号送信電力決定部４４は個別参照信号の送信電力ＰRS1、ＰRS2を計算してもよい。
【００９６】
DM-RSはUEによるデータ信号の復調に使用されるので、UEの信号処理復調部６６は、高い受信電力の信号（他のユーザ装置を宛先とする）を適切に復調することができ、適切な干渉キャンセル処理ができる。また、UEの信号処理復調部６６は、高い精度のDM-RSによって、所望信号を適切に復調することができる。したがって、UEがそのUE宛の所望信号を精度よく復調することが可能である。
【００９７】
次に、基地局１０の情報通知部４０から基地局１０に接続された各UEに送信される下りリンクデータ信号送信電力を計算することができるようにする情報要素を具体的に説明する。これらの情報要素は、下記を含む。
・ＮＯＭＡで多重されるUEの数（同時に同じ周波数を使用するUEの数）Ｋを示す情報要素。
・個別参照信号の送信電力を示す情報要素。
例えば、Ｋが２である場合、UE１宛の個別参照信号の送信電力ＰRS1とUE２宛の個別参照信号の送信電力ＰRS2を示す情報要素である。
・個別参照信号が配置されないＯＦＤＭシンボルでの下りリンクデータ信号送信電力と個別参照信号の送信電力との比ＰxIを示す情報要素。
ＰxI＝ＰRS1/Ｐ11＝ＰRS2/Ｐ21である（図８参照）。但し、比ＰxIは、その逆数でもよいし、dBで表されてもよい。
・個別参照信号が配置されるＯＦＤＭシンボルでの下りリンクデータ信号送信電力と個別参照信号の送信電力との比ＰyIを示す情報要素。
ＰyI＝ＰRS1/Ｐ12＝ＰRS2/Ｐ22である（図８参照）。但し、比ＰyIは、その逆数でもよいし、dBで表されてもよい。
・ＮＯＭＡでのUEの順位を示す情報要素。
【００９８】
各UEの電力認識部６２は、ＰxIとＰRS1から、参照信号が配置されないＯＦＤＭシンボルでの下りリンクデータ信号送信電力Ｐ11を計算し、ＰxIとＰRS2から、参照信号が配置されないＯＦＤＭシンボルでの下りリンクデータ信号送信電力Ｐ21を計算する。また、電力認識部６２は、ＰyIとＰRS1から、参照信号が配置されるＯＦＤＭシンボルでの下りリンクデータ信号送信電力Ｐ12を計算し、ＰyIとＰRS2から、参照信号が配置されるＯＦＤＭシンボルでの下りリンクデータ信号送信電力Ｐ22を計算する。
【００９９】
ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。これらの下りリンクデータ信号送信電力は、信号処理復調部６６において、多値変調された信号（所望信号および干渉信号）のコンステレーションを考慮した復調に使用される。したがって、低い電力で所望データ信号を受信するUE１は、Ｐ11とＰ21の両方およびＰ12とＰ22の両方を用いて、所望データ信号を復調し、高い電力で所望データ信号を受信するUE２は、Ｐ21およびＰ22のみを用いて、所望データ信号を復調する。
【０１００】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【０１０１】
この実施の形態では、基地局１０の情報通知部４０が、少なくとも個別参照信号が配置されるＯＦＤＭシンボルでの各UEに対するデータ信号の下りリンクデータ信号送信電力を各UEが計算することができるようにする情報を各UEに通知する。したがって、個別参照信号が配置されるＯＦＤＭシンボルで下りリンクデータ信号送信電力が低減される場合において、UEの電力認識部６２は、個別参照信号が配置されるＯＦＤＭシンボルでの各UEに対する下りリンクデータ信号送信電力を計算することができ、信号処理復調部６６はその計算結果を用いて、信号復調処理を行うことが可能である。また、各UEに下りリンクデータ信号送信電力の絶対値を示す情報を送信するのではなく、送信電力の比を示す情報要素を送信し、各UEがこれらに基づいて下りリンクデータ信号送信電力の絶対値を計算するので、基地局１０から各UEに送信される情報量を小さくすることができる。また、基地局１０での送信電力は変化させられることがあるが、送信電力の比を示す情報要素を用いて各UEが下りリンクデータ信号送信電力の絶対値を計算するので、基地局１０での送信電力が変化させられるたびに下りリンクデータ信号送信電力の絶対値を基地局１０が各UEに送信する必要がない。
【０１０２】
さらにこの実施の形態では、個別参照信号が配置されないＯＦＤＭシンボルでの各UEに対するデータ信号の下りリンクデータ信号送信電力を各UEが計算することができるようにする情報要素（すなわち、個別参照信号が配置されないＯＦＤＭシンボルでの下りリンクデータ信号送信電力と個別参照信号の送信電力との比ＰxIを示す情報要素）を各UEに通知する。したがって、基地局１０から各UEに送信される情報量を小さくすることができつつ、UEの電力認識部６２は、個別参照信号が配置されるＯＦＤＭシンボルでの各UEに対する下りリンクデータ信号送信電力を計算することができ、個別参照信号が配置されないＯＦＤＭシンボルでの各UEに対する下りリンクデータ信号送信電力も計算することができる。
【０１０３】
第６の実施の形態
基地局１０の情報通知部４０から基地局１０に接続された各UEに送信される下りリンクデータ信号送信電力を計算することができるようにする情報要素を次のようにしてもよい。この場合、基地局１０およびUEの構成は第５の実施の形態のそれらと同じでよい。
【０１０４】
これらの情報要素は、下記を含む。
・ＮＯＭＡで多重されるUEの数（同時に同じ周波数を使用するUEの数）Ｋを示す情報要素。
・個別参照信号の送信電力を示す情報要素。
例えば、Ｋが２である場合、UE１宛の個別参照信号の送信電力ＰRS1とUE２宛の個別参照信号の送信電力ＰRS2を示す情報要素である。
・個別参照信号が配置されないＯＦＤＭシンボルでの下りリンクデータ信号送信電力と個別参照信号の送信電力との比ＰxIを示す情報要素。
ＰxI＝ＰRS1/Ｐ11＝ＰRS2/Ｐ21である（図８参照）。但し、比ＰxIは、その逆数でもよいし、dBで表されてもよい。
・個別参照信号が配置されないＯＦＤＭシンボルでの下りリンクデータ信号送信電力と個別参照信号が配置されるＯＦＤＭシンボルでの下りリンクデータ信号送信電力との比ＰzIを示す情報要素。
ＰzI＝Ｐ11/Ｐ12＝Ｐ21/Ｐ22である（図８参照）。但し、比ＰzIは、その逆数でもよいし、dBで表されてもよい。
・ＮＯＭＡでのUEの順位を示す情報要素。
【０１０５】
各UEの電力認識部６２は、ＰxIとＰRS1から、参照信号が配置されないＯＦＤＭシンボルでの下りリンクデータ信号送信電力Ｐ11を計算し、ＰxIとＰRS2から、参照信号が配置されないＯＦＤＭシンボルでの下りリンクデータ信号送信電力Ｐ21を計算する。また、電力認識部６２は、ＰzIとＰ11から、参照信号が配置されるＯＦＤＭシンボルでの下りリンクデータ信号送信電力Ｐ12を計算し、ＰzIとＰ21から、参照信号が配置されるＯＦＤＭシンボルでの下りリンクデータ信号送信電力Ｐ22を計算する。
【０１０６】
ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。これらの下りリンクデータ信号送信電力は、信号処理復調部６６において、多値変調された信号（所望信号および干渉信号）のコンステレーションを考慮した復調に使用される。したがって、低い電力で所望データ信号を受信するUE１は、Ｐ11とＰ21の両方およびＰ12とＰ22の両方を用いて、所望データ信号を復調し、高い電力で所望データ信号を受信するUE２は、Ｐ21およびＰ22のみを用いて、所望データ信号を復調する。
【０１０７】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【０１０８】
この実施の形態では、基地局１０の情報通知部４０が、少なくとも個別参照信号が配置されるＯＦＤＭシンボルでの各UEに対するデータ信号の下りリンクデータ信号送信電力を各UEが計算することができるようにする情報を各UEに通知する。したがって、個別参照信号が配置されるＯＦＤＭシンボルで下りリンクデータ信号送信電力が低減される場合において、UEの電力認識部６２は、個別参照信号が配置されるＯＦＤＭシンボルでの各UEに対する下りリンクデータ信号送信電力を計算することができ、信号処理復調部６６はその計算結果を用いて、信号復調処理を行うことが可能である。また、各UEに下りリンクデータ信号送信電力の絶対値を示す情報を送信するのではなく、送信電力の比を示す情報要素を送信し、各UEがこれらに基づいて下りリンクデータ信号送信電力の絶対値を計算するので、基地局１０から各UEに送信される情報量を小さくすることができる。また、基地局１０での送信電力は変化させられることがあるが、送信電力の比を示す情報要素を用いて各UEが下りリンクデータ信号送信電力の絶対値を計算するので、基地局１０での送信電力が変化させられるたびに下りリンクデータ信号送信電力の絶対値を基地局１０が各UEに送信する必要がない。
【０１０９】
さらにこの実施の形態では、個別参照信号が配置されないＯＦＤＭシンボルでの各UEに対するデータ信号の下りリンクデータ信号送信電力を各UEが計算することができるようにする情報要素（すなわち、個別参照信号が配置されないＯＦＤＭシンボルでの下りリンクデータ信号送信電力と個別参照信号の送信電力との比ＰxIを示す情報要素と、個別参照信号が配置されないＯＦＤＭシンボルでの下りリンクデータ信号送信電力と個別参照信号が配置されるＯＦＤＭシンボルでの下りリンクデータ信号送信電力との比ＰzIを示す情報要素）を各UEに通知する。したがって、基地局１０から各UEに送信される情報量を小さくすることができつつ、UEの電力認識部６２は、個別参照信号が配置されるＯＦＤＭシンボルでの各UEに対する下りリンクデータ信号送信電力を計算することができ、個別参照信号が配置されないＯＦＤＭシンボルでの各UEに対する下りリンクデータ信号送信電力も計算することができる。
【０１１０】
第７の実施の形態
基地局１０の情報通知部４０から基地局１０に接続された各UEに送信される下りリンクデータ信号送信電力を計算することができるようにする情報要素を次のようにしてもよい。この場合、基地局１０およびUEの構成は第５の実施の形態のそれらと同じでよい。
【０１１１】
これらの情報要素は、下記を含む。
・ＮＯＭＡで多重されるUEの数（同時に同じ周波数を使用するUEの数）Ｋを示す情報要素。
・個別参照信号の送信電力を示す情報要素。
例えば、Ｋが２である場合、UE１宛の個別参照信号の送信電力ＰRS1とUE２宛の個別参照信号の送信電力ＰRS2を示す情報要素である。
・個別参照信号が配置されるＯＦＤＭシンボルでの下りリンクデータ信号送信電力と個別参照信号の送信電力との比ＰyIを示す情報要素。
ＰyI＝ＰRS1/Ｐ12＝ＰRS2/Ｐ22である（図８参照）。但し、比ＰyIは、その逆数でもよいし、dBで表されてもよい。
・個別参照信号が配置されないＯＦＤＭシンボルでの下りリンクデータ信号送信電力と個別参照信号が配置されるＯＦＤＭシンボルでの下りリンクデータ信号送信電力との比ＰzIを示す情報要素。
ＰzI＝Ｐ11/Ｐ12＝Ｐ21/Ｐ22である（図８参照）。但し、比ＰzIは、その逆数でもよいし、dBで表されてもよい。
・ＮＯＭＡでのUEの順位を示す情報要素。
【０１１２】
各UEの電力認識部６２は、ＰyIとＰRS1から、参照信号が配置されるＯＦＤＭシンボルでの下りリンクデータ信号送信電力Ｐ12を計算し、ＰyIとＰRS2から、参照信号が配置されるＯＦＤＭシンボルでの下りリンクデータ信号送信電力Ｐ22を計算する。また、電力認識部６２は、ＰzIとＰ12から、参照信号が配置されないＯＦＤＭシンボルでの下りリンクデータ信号送信電力Ｐ11を計算し、ＰzIとＰ21から、参照信号が配置されないＯＦＤＭシンボルでの下りリンクデータ信号送信電力Ｐ22を計算する。
【０１１３】
ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。これらの下りリンクデータ信号送信電力は、信号処理復調部６６において、多値変調された信号（所望信号および干渉信号）のコンステレーションを考慮した復調に使用される。したがって、低い電力で所望データ信号を受信するUE１は、Ｐ11とＰ21の両方およびＰ12とＰ22の両方を用いて、所望データ信号を復調し、高い電力で所望データ信号を受信するUE２は、Ｐ21およびＰ22のみを用いて、所望データ信号を復調する。
【０１１４】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【０１１５】
この実施の形態では、基地局１０の情報通知部４０が、少なくとも個別参照信号が配置されるＯＦＤＭシンボルでの各UEに対するデータ信号の下りリンクデータ信号送信電力を各UEが計算することができるようにする情報を各UEに通知する。したがって、個別参照信号が配置されるＯＦＤＭシンボルで下りリンクデータ信号送信電力が低減される場合において、UEの電力認識部６２は、個別参照信号が配置されるＯＦＤＭシンボルでの各UEに対する下りリンクデータ信号送信電力を計算することができ、信号処理復調部６６はその計算結果を用いて、信号復調処理を行うことが可能である。また、各UEに下りリンクデータ信号送信電力の絶対値を示す情報を送信するのではなく、送信電力の比を示す情報要素を送信し、各UEがこれらに基づいて下りリンクデータ信号送信電力の絶対値を計算するので、基地局１０から各UEに送信される情報量を小さくすることができる。また、基地局１０での送信電力は変化させられることがあるが、送信電力の比を示す情報要素を用いて各UEが下りリンクデータ信号送信電力の絶対値を計算するので、基地局１０での送信電力が変化させられるたびに下りリンクデータ信号送信電力の絶対値を基地局１０が各UEに送信する必要がない。
【０１１６】
さらにこの実施の形態では、個別参照信号が配置されないＯＦＤＭシンボルでの各UEに対するデータ信号の下りリンクデータ信号送信電力を各UEが計算することができるようにする情報要素（すなわち、個別参照信号が配置されないＯＦＤＭシンボルでの下りリンクデータ信号送信電力と個別参照信号が配置されるＯＦＤＭシンボルでの下りリンクデータ信号送信電力との比ＰzIを示す情報要素）を各UEに通知する。したがって、基地局１０から各UEに送信される情報量を小さくすることができつつ、UEの電力認識部６２は、個別参照信号が配置されるＯＦＤＭシンボルでの各UEに対する下りリンクデータ信号送信電力を計算することができ、個別参照信号が配置されないＯＦＤＭシンボルでの各UEに対する下りリンクデータ信号送信電力も計算することができる。
【０１１７】
第８の実施の形態
上記の第５〜第７の実施の形態では、個別参照信号が配置されないＯＦＤＭシンボルと個別参照信号が配置されるＯＦＤＭシンボルとで、あるUE宛のデータ信号の送信電力に対する他のUE宛のデータ信号の送信電力の比は変化しない。Ｐ11／Ｐ21＝Ｐ12／Ｐ22である。しかし、基地局１０の下りリンクデータ信号送信電力決定部４２は、個別参照信号が配置されるＯＦＤＭシンボルでの複数のユーザ装置に対するデータ信号の複数の下りリンクデータ信号送信電力の比を、個別参照信号が配置されないＯＦＤＭシンボルでの複数のユーザ装置に対するデータ信号の複数の下りリンクデータ信号送信電力の比とは異ならせてもよい。
【０１１８】
図９は、本発明の第８の実施の形態に係る非直交マルチアクセスでの信号の送信方式を示す図である。ここでは、UE１がセルエリア中央すなわち基地局１０の近傍にあり、UE１宛のデータ信号は低い送信電力で基地局１０から送信され、UE２がセルエリア端すなわち基地局１０から遠隔にあり、UE２宛のデータ信号は高い送信電力で基地局１０から送信されると想定する。
【０１１９】
参照信号が配置されないＯＦＤＭシンボルでは、上述したように複数のUEから報告されたＣＱＩに基づいて、例えば式（１）に従って、下りリンクデータ信号送信電力決定部４２は、UE１宛のデータ信号の送信電力をＰ11に決定し、UE２宛のデータ信号の送信電力をＰ21に決定する。
【０１２０】
他方、個別参照信号が配置されるＯＦＤＭシンボルでは、下りリンクデータ信号送信電力決定部４２は、各UEに対するデータ信号の下りリンクデータ信号送信電力を、個別参照信号が配置されないＯＦＤＭシンボルでのそのUEに対するデータ信号の下りリンクデータ信号送信電力よりも低減する。具体的には、個別参照信号が配置されるＯＦＤＭシンボルでは、UE１に対するデータ信号の下りリンクデータ信号送信電力Ｐ12は、参照信号が配置されないＯＦＤＭシンボルでのUE１に対するデータ信号の下りリンクデータ信号送信電力Ｐ11よりも低減され、個別参照信号が配置されるＯＦＤＭシンボルでは、UE２に対するデータ信号の下りリンクデータ信号送信電力Ｐ22は、参照信号が配置されないＯＦＤＭシンボルでのUE２に対するデータ信号の下りリンクデータ信号送信電力Ｐ21よりも低減される。第５〜第７の実施の形態とは異なり、下りリンクデータ信号送信電力決定部４２は、低い送信電力が使用されるUE１についての低減量Ｐ11−Ｐ12を、高い送信電力が使用されるUE２についての低減量Ｐ21−Ｐ22よりも小さく設定する。したがって、Ｐ11／Ｐ21＜Ｐ12／Ｐ22である。これは、Ｐ11／Ｐ21＝Ｐ12／Ｐ22を維持したまま、個別参照信号が配置されるＯＦＤＭシンボルでのUE１宛のデータ信号の送信電力Ｐ12を決定すると、Ｐ12が小さくなり過ぎてUE１でデータ信号を復調できないおそれがあるためである。低い送信電力が使用されるUE１についての低減量Ｐ11−Ｐ12を、高い送信電力が使用されるUE２についての低減量Ｐ21−Ｐ22よりも小さく設定することによって、Ｐ12が小さくなり過ぎてUE１でデータ信号を復調できない事態を防止することができる。
【０１２１】
但し、下りリンクデータ信号送信電力決定部４２は、高い送信電力が使用されるUE２についての低減量Ｐ21−Ｐ22を、低い送信電力が使用されるUE１についての低減量Ｐ11−Ｐ12よりも小さく設定してもよい。高い送信電力が使用されるUE２は基地局１０から遠隔にあるので、Ｐ22を顕著に低減すると、UE２でデータ信号を復調できないおそれがある。高い送信電力が使用されるUE２についての低減量Ｐ21−Ｐ22を、低い送信電力が使用されるUE１についての低減量Ｐ11−Ｐ12よりも小さく設定することによって、Ｐ22が小さくなり過ぎてUE２でデータ信号を復調できない事態を防止することができる。
【０１２２】
いずれにせよ、第４の実施の形態は、第５、第６または第７の実施の形態の修正である。基地局１０およびUEの構成は第５の実施の形態のそれらと同じでよい。
【０１２３】
次に、基地局１０の情報通知部４０から基地局１０に接続された各UEに送信される下りリンクデータ信号送信電力を計算することができるようにする情報要素を具体的に説明する。第５の実施の形態を修正する場合、これらの情報要素は、下記を含む。
・ＮＯＭＡで多重されるUEの数（同時に同じ周波数を使用するUEの数）Ｋを示す情報要素。
・個別参照信号の送信電力を示す情報要素。
例えば、Ｋが２である場合、UE１宛の個別参照信号の送信電力ＰRS1とUE２宛の個別参照信号の送信電力ＰRS2を示す情報要素である。
・個別参照信号が配置されないＯＦＤＭシンボルでの下りリンクデータ信号送信電力と個別参照信号の送信電力との比ＰxIを示す情報要素。
ＰxI＝ＰRS1/Ｐ11＝ＰRS2/Ｐ21である（図９参照）。但し、比ＰxIは、その逆数でもよいし、dBで表されてもよい。
・各UEについて、個別参照信号が配置されるＯＦＤＭシンボルでの下りリンクデータ信号送信電力と個別参照信号の送信電力との比を示す情報要素。
例えば、Ｋが２である場合、ＰyI1とＰyI2を示す情報要素である。
ＰyI1＝ＰRS1/Ｐ12（図９参照）
ＰyI2＝ＰRS2/Ｐ22（図９参照）
ＰyI1≠ＰyI2
ＰyI1とＰyI2は、その逆数でもよいし、dBで表されてもよい。
・ＮＯＭＡでのUEの順位を示す情報要素。
【０１２４】
各UEの電力認識部６２は、ＰxIとＰRS1から、参照信号が配置されないＯＦＤＭシンボルでの下りリンクデータ信号送信電力Ｐ11を計算し、ＰxIとＰRS2から、参照信号が配置されないＯＦＤＭシンボルでの下りリンクデータ信号送信電力Ｐ21を計算する。また、電力認識部６２は、ＰyI1とＰRS1から、参照信号が配置されるＯＦＤＭシンボルでの下りリンクデータ信号送信電力Ｐ12を計算し、ＰyI2とＰRS2から、参照信号が配置されるＯＦＤＭシンボルでの下りリンクデータ信号送信電力Ｐ22を計算する。ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。
【０１２５】
第６の実施の形態を修正する場合、各UEに送信される下りリンクデータ信号送信電力を計算することができるようにする情報要素は下記を含む。
・ＮＯＭＡで多重されるUEの数（同時に同じ周波数を使用するUEの数）Ｋを示す情報要素。
・個別参照信号の送信電力を示す情報要素。
例えば、Ｋが２である場合、UE１宛の個別参照信号の送信電力ＰRS1とUE２宛の個別参照信号の送信電力ＰRS2を示す情報要素である。
・個別参照信号が配置されないＯＦＤＭシンボルでの下りリンクデータ信号送信電力と個別参照信号の送信電力との比ＰxIを示す情報要素。
ＰxI＝ＰRS1/Ｐ11＝ＰRS2/Ｐ21である（図９参照）。但し、比ＰxIは、その逆数でもよいし、dBで表されてもよい。
・各UEについて、個別参照信号が配置されないＯＦＤＭシンボルでの下りリンクデータ信号送信電力と個別参照信号が配置されるＯＦＤＭシンボルでの下りリンクデータ信号送信電力との比を示す情報要素。
例えば、Ｋが２である場合、ＰzI1とＰzI2を示す情報要素である。
ＰzI1＝Ｐ11/Ｐ12（図９参照）
ＰzI2＝Ｐ21/Ｐ22（図９参照）
ＰzI1≠ＰzI2
ＰzI1とＰzI2は、その逆数でもよいし、dBで表されてもよい。
・ＮＯＭＡでのUEの順位を示す情報要素。
【０１２６】
各UEの電力認識部６２は、ＰxIとＰRS1から、参照信号が配置されないＯＦＤＭシンボルでの下りリンクデータ信号送信電力Ｐ11を計算し、ＰxIとＰRS2から、参照信号が配置されないＯＦＤＭシンボルでの下りリンクデータ信号送信電力Ｐ21を計算する。また、電力認識部６２は、ＰzI1とＰ11から、参照信号が配置されるＯＦＤＭシンボルでの下りリンクデータ信号送信電力Ｐ12を計算し、ＰzI2とＰ21から、参照信号が配置されるＯＦＤＭシンボルでの下りリンクデータ信号送信電力Ｐ22を計算する。ＮＯＭＡでのUEの順位に基づいて、各UEの電力認識部６２は、Ｐ11とＰ21のいずれがそのUEへの所望データ信号の送信電力か干渉電力かを認識し、Ｐ12とＰ22のいずれがそのUEへの所望データ信号の送信電力か干渉電力かを認識する。
【０１２７】
第７の実施の形態を修正する場合、各UEに送信される下りリンクデータ信号送信電力を計算することができるようにする情報要素は下記を含む。
・ＮＯＭＡで多重されるUEの数（同時に同じ周波数を使用するUEの数）Ｋを示す情報要素。
・個別参照信号の送信電力を示す情報要素。
例えば、Ｋが２である場合、UE１宛の個別参照信号の送信電力ＰRS1とUE２宛の個別参照信号の送信電力ＰRS2を示す情報要素である。
・各UEについて、個別参照信号が配置されるＯＦＤＭシンボルでの下りリンクデータ信号送信電力と個別参照信号の送信電力との比を示す情報要素。
例えば、Ｋが２である場合、ＰyI1とＰyI2を示す情報要素である。
ＰyI1＝ＰRS1/Ｐ12（図９参照）
ＰyI2＝ＰRS2/Ｐ22（図９参照）
ＰyI1≠ＰyI2
ＰyI1とＰyI2は、その逆数でもよいし、dBで表されてもよい。
・各UEについて、個別参照信号が配置されないＯＦＤＭシンボルでの下りリンクデータ信号送信電力と個別参照信号が配置されるＯＦＤＭシンボルでの下りリンクデータ信号送信電力との比を示す情報要素。
例えば、Ｋが２である場合、ＰzI1とＰzI2を示す情報要素である。
ＰzI1＝Ｐ11/Ｐ12（図９参照）
ＰzI2＝Ｐ21/Ｐ22（図９参照）
ＰzI1≠ＰzI2
ＰzI1とＰzI2は、その逆数でもよいし、dBで表されてもよい。
・ＮＯＭＡでのUEの順位を示す情報要素。
【０１２８】
各UEの電力認識部６２は、ＰyI1とＰRS1から、参照信号が配置されるＯＦＤＭシンボルでの下りリンクデータ信号送信電力Ｐ12を計算し、ＰyI2とＰRS2から、参照信号が配置されるＯＦＤＭシンボルでの下りリンクデータ信号送信電力Ｐ22を計算する。また、電力認識部６２は、ＰzI1とＰ12から、参照信号が配置されないＯＦＤＭシンボルでの下りリンクデータ信号送信電力Ｐ11を計算し、ＰzI2とＰ21から、参照信号が配置されないＯＦＤＭシンボルでの下りリンクデータ信号送信電力Ｐ22を計算する。
【０１２９】
以上、ＮＯＭＡで多重されるUEの数Ｋが２の場合の基地局１０からUEに送信される情報要素およびUEの具体的動作を説明したが、ＮＯＭＡで多重されるUEの数が３以上である場合には、基地局１０からUEに送信される情報要素に適切な改変を加えることで、UEの電力認識部６２が各下りリンクデータ信号送信電力を計算することができる。
【０１３０】
情報の送信の手法
上記の実施の形態において、基地局１０の情報通知部４０は、基地局１０に接続された複数のUEの各々に、各UEがＮＯＭＡで多重された複数のUEに対するデータ信号の下りリンクデータ信号送信電力を計算することができるようにする各種の情報要素を送信する。上述したように、干渉キャンセルの機能を有しないUEにはＮＯＭＡは適用されない。UEがＮＯＭＡに対応する干渉キャンセル機能を有するか否かは、そのような干渉キャンセル機能を有するUEが自身の能力を示す情報を基地局１０に送信することにより、基地局１０で判断することができる。情報通知部４０は、基地局１０に接続されたUEのうち、干渉キャンセル機能を有するＮＯＭＡに適応したUEに情報要素を送信することができる。
【０１３１】
上記の情報要素には、送信電力の比を示す情報要素（例えば、Ｐdiff、Ｐx、Ｐy、Ｐz、Ｐdiff2、ＰxI、ＰyI、ＰzI）がある。基地局１０およびUEは、送信電力の離散的な比を示す値（限定された数の値）を有するセットを記憶してもよい。例えば、そのセットは、-6 dB, -4.77 dB, -3 dB, -1.77 dB, 0 dB, 1 dB, 2 dB, 3 dBの８つの値を有する。そのセットの各値にはインデックス番号が付与される。例えば、-6 dBにはインデックス番号１が付与され、-4.77 dBにはインデックス番号２が付与される。基地局１０の下りリンクデータ信号送信電力決定部４２は、送信電力の比がそのセットのいずれかの値に一致するように、Ｐ11、Ｐ21、Ｐ12、Ｐ22などを計算する。そして、基地局１０の情報通知部４０は、現在使用されている値に対応するインデックス番号を示す情報要素を、送信電力の比を示す情報要素としてUEに送信する。UEの電力認識部６２はインデックス番号によって、送信電力の比を認識することができる。例えば、インデックス番号が２であれば、送信電力の比は-4.77 dBである。すなわち、情報通知部４０は、送信電力の比を示す情報要素として、基地局１０で現在使用されている比に対応するインデックス番号を示す情報要素をUEに送信する。
【０１３２】
そのセットの各値にインデックス番号を付与する代わりに、基地局１０の情報通知部４０は、基地局１０で直前に使用した送信電力の比に対する、基地局１０で現在使用されている送信電力の比の相違を示す情報要素（すなわち何段階増加または何段階減少を示す情報要素）を、送信電力の比を示す情報要素としてUEに送信してもよい。例えば、-6 dBが直前に使用された場合に、２段階増加を示す情報要素をUEに送信すれば、UEの電力認識部６２は送信電力の比が-3 dBであることを認識することができる。
【０１３３】
比のインデックス番号または比の相違を基地局１０から各UEに送信することにより、基地局１０から各UEに送信される情報量を著しく小さくすることができる。上記の実施の形態では、各種の送信電力の比（例えば、Ｐdiff、Ｐx、Ｐy、Ｐz、Ｐdiff2、ＰxI、ＰyI、ＰzI）を基地局１０が各UEに送信する。これらの電力の比の一部について、比のインデックス番号または比の相違を示す情報要素を送信してもよいし、これらの電力の比のすべてについて、比のインデックス番号または比の相違を示す情報要素を送信してもよい。
【０１３４】
情報要素の送信の具体的な手法としては、下記のいずれかが考えられる。
（１）Semi-static signaling（半静的なシグナリング）
情報通知部４０は、長い周期（例えば数１００msec）で情報要素をUEに送信してもよい。
この場合、情報通知部４０は、下りリンクのデータ信号にこれらの情報要素を埋め込んでもよい。例えば、3GPP TS 36.331 V11.0.0の節5.2に記載されたSIB (System Information Block)にこれらの情報要素を埋め込むことができる。
あるいは、情報通知部４０は、情報要素を例えば報知情報として基地局１０に接続されＮＯＭＡに適応した全UEに送信してもよいし、RRC（Radio Resource Control）シグナリングを用いて基地局１０に接続されＮＯＭＡに適応した全UEに送信してもよい。
あるいは、情報通知部４０は、RRCシグナリングを用いて、基地局１０に接続されＮＯＭＡに適応した各UEに、そのUEに関連する情報要素を個別に送信してもよい。
【０１３５】
（２）Dynamic signaling（動的なシグナリング）
情報通知部４０は、短い周期（例えば数msec）で情報要素をUEに送信してもよい。
この場合、情報通知部４０は、制御信号のリソースを用いて情報要素をUEに送信してもよい。
例えば、3GPP TS 36.212 V12.0.0の節5.3.3に記載されているDownlink control information（DCI）の種類を新たに追加し、追加されたDCIを用いて、情報要素をUEに送信してもよい。あるいは、既存のDCIの一部のビットを情報要素の送信のために使用してもよい。例えば、3GPP TS 36.212 V12.0.0の節5.3.3.1.5Cに記載されているDCI Format 2Cまたは節5.3.3.1.5Dに記載されているDCI Format 2Dにおけるレイヤ数を表すビットを、レイヤ数を表すのではなく、情報要素を表すように改変してもよい。例えば、本来８レイヤの送信が可能なところ、４レイヤの送信に制限することによって、レイヤ数を表すビットを他の用途に使用することができる。
【０１３６】
情報要素を別個に送信してもよいし、同時に送信してもよい。また、すべての情報要素を上記の手法（１）（２）のいずれか一方で送信してもよいし、ある情報要素を手法（１）で送信し他の情報要素を手法（２）で送信してもよい。一部の情報要素を他の手法で送信してもよい。例えば、共通参照信号の送信電力ＰRSを示す情報要素は、TS 36.331 V11.0.0の節6.3.2において、PDSCH-Config情報要素の一部であるreferenceSignalPowerとして送信されるよう規定されており、ＰRSを示す情報要素をreferenceSignalPowerとして送信してもよい。
【０１３７】
他の変形
基地局１０およびUEにおいて、ＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【０１３８】
前記の実施の形態および変形は、矛盾しない限り、組み合わせてもよい。例えば、第１〜第４の実施の形態のいずれかと、第５〜第８の実施の形態のいずれかを組み合わせてもよい。
【符号の説明】
【０１３９】
１，２，１００，１０１，１０２：UE（ユーザ装置）
１０：基地局
１ａ：セルエリア
３０：制御部
３２：無線信号送信部
３３：送信アンテナ
３４：無線信号受信部
３５：受信アンテナ
３６：基地局間通信部
３８：ＣＱＩ報告処理部
４０：情報通知部
４２：下りリンクデータ信号送信電力決定部
４４：下りリンク参照信号送信電力決定部
５０：制御部
５２：無線信号送信部
５３：送信アンテナ
５４：無線信号受信部
５５：受信アンテナ
６０：受信品質測定部
６１：ＣＱＩ報告部
６２：電力認識部
６４：チャネル推定部
６６：信号処理復調部
【図１】
2015198351.tif 000005
【図２】
2015198351.tif 000006
【図３】
2015198351.tif 000007
【図４】
2015198351.tif 000008
【図５】
2015198351.tif 000009
【図６】
2015198351.tif 000010
【図７】
2015198351.tif 000011
【図８】
2015198351.tif 000012
【図９】
2015198351.tif 000013